(57)【要約】  本発明の実施形態は、無線基地局と、無線基地局のクロック同期の方法を開示する。無線基地局は基地局屋内装置と基地局屋外装置を備え、基地局屋外装置はアダプタと地上サービスアンテナと衛星アンテナとを備え、地上サービスアンテナはマイクロ伝送アンテナまたは無線アクセスアンテナであり、基地局屋内装置は、衛星アンテナで受信した衛星無線周波数信号に復号化処理を実行して衛星通信サービス信号を取得するよう構成された衛星信号処理モジュールを備え、衛星アンテナおよび地上サービスアンテナはアダプタに接続され、アダプタは、衛星アンテナと地上サービスアンテナで受信した信号を結合し、第１データケーブルを通じて基地局屋内装置に結合信号を送信するよう構成される。本発明の実施形態が提供する無線基地局は、基地局屋外装置から基地局屋内装置への給電線の配線を簡易化でき、避雷モジュール数を減少させ、製造原価の低減を支援する。
2013535126.tif 000002
【特許請求の範囲】
【請求項１】
基地局屋内装置と基地局屋外装置とを含み、
前記基地局屋外装置は、地上サービスアンテナと、衛星アンテナと、前記衛星アンテナによって受信された衛星無線周波数信号に対して復号化処理を実行して基準クロックソース信号を取得するように構成された衛星信号処理モジュールと、前記地上サービスアンテナによって受信された変調信号に対して復調処理を実行するように構成された第２の地上サービス処理モジュールとを含み、
前記第２の地上サービス処理モジュールは、現行のシステムクロック信号と、前記衛星信号処理モジュールによって取得された前記基準クロックソース信号とに対して位相弁別処理を実行して位相差を取得し、前記位相差を搬送するデータパケットを生成し、前記基地局屋内装置に前記データパケットを送信するようにさらに構成され、
前記基地局屋内装置は、前記データパケットを受信し、前記データパケットから前記搬送された位相差を取得し、較正されたシステムクロック信号を取得するように、前記位相差に従って位相固定トラッキングを実行するように構成された第３のサービス処理モジュールを含む
基地局。
【請求項２】
前記第２の地上サービス処理モジュールは、前記基準クロックソース信号の初期位相と現行のシステムフレーム同期信号の初期位相とを比較して初期位相偏差値を取得するようにさらに構成され、前記データパケットは、さらに、前記初期位相偏差値を搬送し、
前記第３のサービス処理モジュールは、搬送された初期位相偏差値を前記データパケットから取得し、前記初期位相偏差値に従ってシステムフレーム同期信号の前記初期位相を較正するようにさらに構成される
請求項１に記載の基地局。
【請求項３】
前記衛星信号処理モジュールは、前記衛星アンテナによって受信された前記衛星無線周波数信号から衛星絶対時刻情報を取得するようにさらに構成され、
前記第２の地上サービス処理モジュールは、前記衛星絶対時刻情報を前記データパケットで搬送させるようにさらに構成され、
前記第３のサービス処理モジュールは、前記データパケットを解析し、前記搬送された衛星絶対時刻情報を取得し、前記衛星絶対時刻情報に従ってシステム絶対時刻を較正するようにさらに構成される
請求項１または２に記載の基地局。
【請求項４】
前記衛星信号処理モジュールは、前記衛星アンテナと一体となって遠隔全地球測位システムＲＧＰＳを形成する、または、
前記衛星信号処理モジュールは、前記第２の地上サービス処理モジュールと一体とされる
請求項１〜３のいずれか１項に記載の基地局。
【請求項５】
前記第３のサービス処理モジュールは、具体的には、ベースバンド装置であり、
前記第２の地上サービス処理モジュールは、具体的には、遠隔無線装置、マイクロ波屋外ユニット、またはマイクロ波屋外統合装置である
請求項１〜４のいずれか１項に記載の基地局。
【請求項６】
基地局のクロック同期のための方法であって、前記基地局は基地局屋内装置と基地局屋外装置とを含み、前記方法は、
前記基地局屋外装置が、現行のシステムクロック信号と衛星アンテナによって受信された衛星無線周波数信号から取得される基準クロックソース信号とに対して位相弁別処理を実行して位相差を取得し、前記位相差を搬送するデータパケットを生成し、前記データパケットを前記基地局屋内装置に送信することと、
前記基地局屋内装置が、データパケットを受信し、前記搬送された位相差を前記データパケットから取得し、較正されたシステムクロック信号を取得するように、前記位相差に従って位相固定トラッキングを実行することと
を含む方法。
【請求項７】
前記基地局屋外装置が、前記基準クロックソース信号の初期位相と現行のシステムフレーム同期信号の初期位相とを比較して初期位相偏差値を取得し、前記初期位相偏差値を前記データパケットで搬送させて、前記データパケットを前記基地局屋内装置に送信することと、
前記基地局屋内装置が、搬送された初期位相偏差値を前記データパケットから取得し、前記初期位相偏差値に従ってシステムフレーム同期信号の初期位相を較正することと
をさらに含む請求項６に記載の方法。
【請求項８】
前記基地局屋外装置が、前記衛星アンテナにより受信された前記衛星無線周波数信号から衛星絶対時刻情報を取得し、前記衛星絶対時刻情報を前記データパケットで搬送させて、前記基地局屋内装置に前記データパケットを送信することと、
前記基地局屋内装置が、前記データパケットを解析して前記搬送された衛星絶対時刻情報を取得し、前記衛星絶対時刻情報に従ってシステム絶対時刻を較正することと
をさらに含む請求項６または７に記載の方法。
【請求項９】
前記基地局屋内装置は、ベースバンド装置を含み、
前記基地局屋外装置は、地上サービスアンテナと、前記衛星アンテナと、前記衛星アンテナにより受信された前記衛星無線周波数信号に対して復号化処理を実行し、かつ前記基準クロックソース信号を取得するように構成された衛星信号処理モジュールと、遠隔無線装置、マイクロ波屋外ユニット、および前記地上サービスアンテナにより受信された変調信号に対して復調処理を実行するように構成されたマイクロ波屋外統合装置のうちの１つとを含む
請求項６〜８のいずれか１項に記載の方法。
【請求項１０】
基地局屋内装置と基地局屋外装置とを含み、
前記基地局屋外装置は、地上サービスアンテナと、衛星アンテナと、前記衛星アンテナによって受信された衛星無線周波数信号に対して復号化処理を実行して基準クロックソース信号を取得するように構成された衛星信号処理モジュールと、前記地上サービスアンテナによって受信された変調信号に対して復調処理を実行するように構成された第４の地上サービス処理モジュールとを含み、
前記第４の地上サービス処理モジュールは、現行のシステムクロック信号と、前記衛星信号処理モジュールにより取得された基準クロックソース信号とに対して位相弁別処理を実行して位相差を取得し、較正されたシステムクロック信号を取得するように、前記位相差に従って位相固定トラッキングを実行し、前記較正されたシステムクロック信号を前記基地局屋内装置内の第５のサービス処理モジュールに送信するようにさらに構成される
基地局。
【請求項１１】
前記第４の地上サービス処理モジュールは、前記基準クロックソース信号の初期位相と、現行のシステムフレーム同期信号の初期位相とを比較して初期位相偏差値を取得し、前記初期位相偏差値に従って前記システムフレーム同期信号の前記初期位相を較正し、前記較正された初期位相で前記システムフレーム同期信号を前記第５のサービス処理モジュールに送信ようにさらに構成される
請求項１０に記載の基地局。
【請求項１２】
前記衛星信号処理モジュールは、前記衛星アンテナによって受信された前記衛星無線周波数信号から衛星絶対時刻情報を取得するようにさらに構成され、
前記第４の地上サービス処理モジュールは、前記衛星絶対時刻情報に従ってシステム絶対時刻を較正するようにさらに構成される
請求項１０または１１に記載の基地局。
【請求項１３】
前記衛星信号処理モジュールは、前記衛星アンテナと一体となって遠隔全地球測位システムＲＧＰＳを形成する、または、
前記衛星信号処理モジュールは、前記第４の地上サービス処理モジュールと一体とされる
請求項１０〜１２のいずれか１項に記載の基地局。
【請求項１４】
前記第５のサービス処理モジュールは、具体的には、ベースバンド装置であり、
前記第４の地上サービス処理モジュールは、具体的には、遠隔無線装置、マイクロ波屋外ユニット、またはマイクロ波屋外統合装置である
請求項１０〜１３のいずれか１項に記載の基地局。
【請求項１５】
基地局のクロック同期のための方法であって、前記基地局は基地局屋内装置と基地局屋外装置とを含み、前記方法は、
前記基地局屋外装置が、現行のシステムクロック信号と衛星アンテナによって受信された衛星無線周波数信号から取得される基準クロックソース信号とに対して位相弁別処理を実行して位相差を取得し、較正されたシステムクロック信号を取得するように、前記位相差に従って位相固定トラッキングを実行し、較正されたシステムクロック信号を前記基地局屋内装置に送信すること
を含む方法。
【請求項１６】
前記基地局屋外装置が、前記基準クロックソース信号の初期位相と、現行のシステムフレーム同期信号の初期位相とを比較して初期位相偏差値を取得し、前記初期位相偏差値に従って前記システムフレーム同期信号の前記初期位相を較正し、前記較正された初期位相で前記システムフレーム同期信号を前記基地局屋外装置に送信すること
をさらに含む請求項１５に記載の方法。
【請求項１７】
前記基地局屋外装置が、前記衛星アンテナによって受信された前記衛星無線周波数信号から衛星絶対時刻情報を取得し、前記衛星絶対時刻情報に従ってシステム絶対時刻を較正すること
をさらに含む請求項１５または１６に記載の方法。
【請求項１８】
前記基地局屋外装置は、地上サービスアンテナと、前記衛星アンテナと、前記衛星アンテナにより受信された前記衛星無線周波数信号に対して復号化処理を実行して前記基準クロックソース信号を取得するように構成された衛星信号処理モジュールと、前記地上サービスアンテナにより受信された変調信号に対して復調処理を実行するように構成された、遠隔無線装置、マイクロ波屋外ユニット、およびマイクロ波屋外統合装置のうちの１つとを含み、
前記基地局屋内装置は、ベースバンド装置を含む
請求項１５または１６に記載の方法。
【発明の詳細な説明】
【技術分野】
【０００１】
本出願は、「無線基地局」と題されて２０１０年５月３１日に中国専利局に出願された中国特許出願第２０１０１０１８８６２２．３号、および「無線基地局および無線基地局のクロック同期のための方法」と題されて２０１１年３月３１日に中国専利局に出願された中国特許出願第２０１１１００８０９２８．１号に対する優先権を主張するものであり、これらの明細書の全体は参照により本明細書に組み込まれる。
【０００２】
本発明は、通信技術の分野に係り、特に、無線基地局および無線基地局のクロック同期のための方法に関する。
【背景技術】
【０００３】
クロック精度の要求を満たすために、現在いくつかの無線基地局では、衛星受信システムは、基地局のクロックの制御のために衛星によって供給されるクロック信号を用いるように構成される。
【０００４】
図１に示すように、従来の無線基地局は、通常２つの部分、すなわち、基地局屋内装置および基地局屋外装置に分割される場合がある。基地局屋外装置は、主として、衛星無線周波数信号を受信するための衛星アンテナと、端末と取り交わされるアクセス側無線周波数信号を送受信するための無線アクセスアンテナとを含む。基地局屋内装置は、主として、ベースバンド装置（ＢＢＵ、Ｂａｓｅｂａｎｄ  Ｕｎｉｔ）と、遠隔無線装置（ＲＲＵ、Ｒｅｍｏｔｅ  Ｒａｄｉｏ  Ｕｎｉｔ）とを含む。ＢＢＵは、主として、ベースバンドサービス信号処理、メイン制御、クロックおよび伝送などの機能の役割を担い、ＲＲＵは、主として、送受信された信号の無線周波数処理などの機能の役割を担う。ＲＲＵも、屋外に配置されて、無線遠隔装置と称されてもよい。衛星受信カードは、ベースバンド装置に設置され、または屋内で単独で設置され、クロック制御に用いられるクロック信号をベースバンド装置に供給するように、主として、クロック信号を取得する衛星アンテナによって受信される衛星無線周波数信号に対して復号化処理を実行するように構成される。
【０００５】
従来のアーキテクチャの無線基地局において、基地局屋外装置から基地局屋内装置への給電線（その長さは、いくつかの状況において、数メートルまたは１００メートル超にまで及ぶかもしれない）は、衛星アンテナによって受信される衛星信号を復調処理用の衛星受信カードに送信するように、衛星受信システムに対して個別に敷設される必要がある。配線は、相対的に複雑であり、エンジニアリングコストおよび補助材料のコストは、相対的に高い。
【発明の概要】
【発明が解決しようとする課題】
【０００６】
本発明の実施形態は、エンジニアリングコストおよび補助材料のコストを低減することを支援する、基地局および基地局のクロック同期のための方法を提供する。
【課題を解決するための手段】
【０００７】
１つの態様において、本発明は、
基地局屋内装置と基地局屋外装置とを備え、
前記基地局屋外装置は、地上サービスアンテナと、衛星アンテナと、前記衛星アンテナによって受信された衛星無線周波数信号に対して復号化処理を実行して基準クロックソース信号を取得するように構成された衛星信号処理モジュールと、前記地上サービスアンテナによって受信された変調信号に対して復調処理を実行するように構成された第２の地上サービス処理モジュールとを備え、
前記第２の地上サービス処理モジュールは、現行のシステムクロック信号と、前記衛星信号処理モジュールによって取得された前記基準クロックソース信号とに対して位相弁別処理を実行して位相差を取得し、前記位相差を搬送するデータパケットを生成し、前記基地局屋内装置に前記データパケットを送信するようにさらに構成され、
前記基地局屋内装置は、前記データパケットを受信し、前記データパケットから前記搬送された位相差を取得し、較正されたシステムクロック信号を取得するように、前記位相差に従って位相固定トラッキングを実行するように構成された第３のサービス処理モジュールを備える
ことを特徴とする基地局を提供する。
【０００８】
別の態様において、本発明は、基地局のクロック同期のための方法であって、基地局は基地局屋内装置と基地局屋外装置とを備え、前記方法は、
基地局屋外装置が、現行のシステムクロック信号と衛星アンテナによって受信された衛星無線周波数信号から取得される基準クロックソース信号とに対して位相弁別処理を実行して位相差を取得し、前記位相差を搬送するデータパケットを生成し、前記データパケットを前記基地局屋内装置に送信することと、
基地局屋内装置が、データパケットを受信し、前記搬送された位相差を前記データパケットから取得し、較正されたシステムクロック信号を取得するように、前記位相差に従って位相固定トラッキングを実行することと
を含むことを特徴とする方法を提供する。
【０００９】
別の態様において、本発明は、
基地局屋内装置と基地局屋外装置とを備え、
前記基地局屋外装置は、地上サービスアンテナと、衛星アンテナと、前記衛星アンテナによって受信された衛星無線周波数信号に対して復号化処理を実行して基準クロックソース信号を取得するように構成された衛星信号処理モジュールと、前記地上サービスアンテナによって受信された変調信号に対して復調処理を実行するように構成された第４の地上サービス処理モジュールとを備え、
前記第４の地上サービス処理モジュールは、現行のシステムクロック信号と、前記衛星信号処理モジュールにより取得された基準クロックソース信号とに対して位相弁別処理を実行して位相差を取得し、較正されたシステムクロック信号を取得するように、前記位相差に従って位相固定トラッキングを実行し、前記較正されたシステムクロック信号を前記基地局屋内装置内の第５のサービス処理モジュールに送信するようにさらに構成される
ことを特徴とする基地局が提供される。
【００１０】
別の態様において、本発明は、
基地局のクロック同期のための方法であって、前記基地局は基地局屋内装置と基地局屋外装置とを備え、前記方法は、
前記基地局屋外装置が、現行のシステムクロック信号と衛星アンテナによって受信された衛星無線周波数信号から取得される基準クロックソース信号とに対して位相弁別処理を実行して位相差を取得し、前記位相差に従って位相固定トラッキングを実行して較正されたシステムクロック信号を取得し、較正されたシステムクロック信号を基地局屋内装置に送信すること
を含むことを特徴とする方法が提供される。
【発明の効果】
【００１１】
以上のように、１つの態様における本発明により提供される解決手段では、無線基地局において、衛星アンテナは、基地局屋外装置内のモジュールに接続され、基地局屋外装置は、位相弁別処理を実行して位相差を取得し、その後、位相差を搬送するデータパケットを生成し、基地局屋内装置にデータパケットを送信する。基地局屋内装置は、データパケットを受信し、搬送された位相差をデータパケットから取得し、すべてのシステムクロック信号を同期し較正するように、位相差に従って位相固定トラッキングを実行する。衛星アンテナが基地局屋外装置に接続されるので、エンジニアリングコストおよび補助材料のコストの低減にとって有用である。基地局屋外装置が位相弁別処理を実行して位相差を取得し、その後、基地局屋内装置が、位相固定トラッキングを実行し、システムクロック信号を同期し較正するので、このような分散型クロック同期処理メカニズムは、基地局屋内装置のモジュール設計の簡易化、および分散型基地局のマルチシナリオの適用性の改善にとって有用である。
【００１２】
別の態様における本発明により提供される別の解決手段では、無線基地局において、衛星アンテナは、基地局屋外装置内のモジュールに接続される。基地局屋外装置は、位相差を取得するために位相弁別処理を実行し、システムクロック信号を同期し較正するように、位相差に従って位相固定トラッキングを実行する。衛星アンテナが基地局屋外装置に接続されるので、これは、エンジニアリングコストおよび補助材料のコストの低減にとって有用である。
【００１３】
本発明の実施形態における技術的解決手段と従来技術とをより明確に図示するために、実施形態および従来技術の説明に用いられる添付の図面は、以下において簡潔に紹介される。一見したところ、以下の説明における添付の図面は、本発明のいくつかの実施形態のみであるが、当業者は、創作的な努力をすることなく、これらの添付の図面から他の図面を導き出すことができる。
【図面の簡単な説明】
【００１４】
【図１】従来技術における無線基地局の概略図である。
【図２】本発明の第１の実施形態による無線基地局の概略図である。
【図３−ａ】本発明の第２の実施形態による無線基地局の概略図である。
【図３−ｂ】本発明の第２の実施形態による無線基地局の信号伝達方向の概略図である。
【図４−ａ】本発明の第３の実施形態による無線基地局の概略図である。
【図４−ｂ】本発明の第３の実施形態による無線基地局の信号伝達方向の概略図である。
【図５−ａ】本発明の第４の実施形態による無線基地局の概略図である。
【図５−ｂ】本発明の第４の実施形態による別の無線基地局の概略図である。
【図５−ｃ】本発明の第４の実施形態による別の無線基地局の概略図である。
【図６−ａ】本発明の第５の実施形態による無線基地局の概略図である。
【図６−ｂ】本発明の第５の実施形態による別の無線基地局の概略図である。
【図６−ｃ】本発明の第５の実施形態による無線基地局の信号伝達方向の概略図である。
【図７−ａ】本発明の第６の実施形態による無線基地局の概略図である。
【図７−ｂ】本発明の第６の実施形態による無線基地局の信号伝達方向の概略図である。
【図８】本発明の第７の実施形態による無線基地局の概略構造図である。
【図９−ａ】本発明の第７の実施形態による別の無線基地局の概略構造図である。
【図９−ｂ】本発明の第７の実施形態による別の無線基地局の概略構造図である。
【図９−ｃ】本発明の第７の実施形態による別の無線基地局の概略構造図である。
【図９−ｄ】本発明の第７の実施形態による別の無線基地局の概略構造図である。
【図９−ｅ】本発明の第７の実施形態による別の無線基地局の概略構造図である。
【図１０】本発明の第８の実施形態による無線基地局の概略構造図である。
【発明を実施するための形態】
【００１５】
本発明の実施形態は、分散型の基地局、および分散型の基地局のクロック同期のための方法を提供する。
【００１６】
本発明の各実施形態を、以下、個別に詳細に記載する。
【００１７】
当業者に本発明の解決手段をより一層理解させるために、本発明の実施形態によって提供される技術的解決手段は、添付の図面を参照しながら、以下に明確に且つ十分に記載される。明らかに、記載される実施形態は、本発明の実施形態のすべてというよりむしろ単なる一部である。創作的な努力をすることなく、本発明の実施形態に基づいて、当業者によって得られる他のすべての実施形態は、本発明の保護範囲の範囲内に当然含まれる。
［実施形態１］
【００１８】
図２を参照すると、本発明の１つの実施形態で提供される無線基地局の１つの実施形態において、無線基地局２００は、基地局屋外装置２１０と基地局屋内装置２２０とを含んでもよい。
【００１９】
基地局屋外装置２１０は、地上サービスアンテナ２１１と、衛星アンテナ２１２と、アダプタ２１３とを含んでもよい。
【００２０】
地上サービスアンテナ２１１は、マイクロ波送信アンテナまたは無線アクセスアンテナであってもよい。
【００２１】
基地局屋内装置２２０は、衛星通信サービス信号を取得するために衛星アンテナ２１２によって受信される衛星無線周波数信号に対して復号化処理を実行するように構成された衛星信号処理モジュール１００を含んでもよい。
【００２２】
衛星アンテナ２１２によって受信された衛星無線周波数信号は、第１のデータ線２３０を通じて基地局屋内装置２２０に送信され、地上サービスアンテナ２１１によって受信された変調信号は、第１のデータ線２３０を通じて基地局屋内装置２２０に送信される。
【００２３】
一適用例において、衛星アンテナ２１２および地上サービスアンテナ２１１は、アダプタ２１３に接続されてもよく、アダプタ２１３は、第１のデータ線２３０を通じて基地局屋内装置２２０に接続される。アダプタ１２０は、衛星アンテナ２１２によって受信された衛星無線周波数信号と、地上サービスアンテナ２１１によって受信された変調信号とを結合し（アダプタは、必要なインピーダンス整合処理を信号に対して実行してもよい）、結合信号を第１のデータ線２３０を通じて基地局屋内装置２２０に送信してもよい。その結果、２本のアンテナの信号は、基地局屋外装置２１０から基地局屋内装置２２０に１つのデータ線を通じて送信され、それによって基地局屋外装置から基地局屋内装置への給電線の配線を簡易化する。
【００２４】
第１のデータ線２３０は、給電線または別の種類の信号伝送線であってもよい。
【００２５】
基地局屋内装置２２０は、結合信号を受信した後に分離処理を実行し、衛星アンテナによって受信された信号と、地上サービスアンテナによって受信された信号とを、対応する処理回路を通じて処理する。例えば、衛星信号処理モジュール１００を通じて、衛星アンテナによって受信された信号を処理してもよいし、マイクロ波または無線処理回路を通じて、地上サービスアンテナによって受信された信号を処理してもよい。
【００２６】
２本のアンテナの信号が１つのデータ線を通じて基地局屋外装置２１０から基地局屋内装置２２０に送信されるので、２本のアンテナ上の避雷を行なうために雷防護回路を共有してもよく、これが従来技術と比較すると雷防護回路の数を節約できることは、理解され得る。
【００２７】
一適用例において、地上サービスアンテナ２１１が無線アクセスアンテナの場合、衛星信号処理モジュール１００は、基地局屋内装置２２０の遠隔無線装置ＲＲＵ内に設置されてもよい。
【００２８】
ＢＢＵとＲＲＵとの間のインタフェースは、任意の種類であってもよい。本実施形態において、ＢＢＵとＲＲＵとの間のインタフェースは、例えば、共通公共無線インタフェース（ＣＰＲＩ、Ｃｏｍｍｏｎ  Ｐｕｂｌｉｃ  Ｒａｄｉｏ  Ｉｎｔｅｒｆａｃｅ）またはオープン基地局アーキテクチャイニシアチブ（ＯＢＳＡＩ、Ｏｐｅｎ  Ｂａｓｅ  Ｓｔａｔｉｏｎ  Ａｒｃｈｉｔｅｃｔｕｒｅ  Ｉｎｉｔｉａｔｉｖｅ）インタフェース、または別の種類のインタフェースであってもよく、インタフェースの物理的キャリアは、光ファイバまたは導線であってもよい。
【００２９】
無線基地局などのネットワーク側装置と、本発明の実施形態における基地局コントローラとの間のデータ伝送は、光ファイバ伝送などの有線伝送に加えて、マイクロ波伝送などの無線送信であってもよい。
【００３０】
マイクロ波伝送装置は、マイクロ波屋外ユニット（略してＯＤＵ、主として送受信された信号に対して、マイクロ波送信アンテナによって受信されたマイクロ波無線周波数信号をマイクロ波中間周波信号に変換することと、送信されるマイクロ波中間周波信号をマイクロ波無線周波数信号に変換することとを含む周波数変換処理を実行するように構成される）と、マイクロ波屋内ユニット（略してＩＤＵ、主として送受信された信号に対して、受信されたマイクロ波中間周波信号に対してベースバンド処理を実行してマイクロ波サービス信号を取得することと、送信されるマイクロ波サービス信号に対してベースバンド処理を実行してマイクロ波中間周波信号を取得することとを含むベースバンド処理を実行するように構成される）、または、マイクロ波屋外統合装置（すなわち、マイクロ波伝送装置はすべて基地局屋外装置に配置される）を含んでもよい。
【００３１】
一適用例において、地上サービスアンテナ２１１がマイクロ波送信アンテナの場合、衛星信号処理モジュール１００は、基地局屋内装置２２０のマイクロ波屋内ユニット内に設置されてもよい。
【００３２】
なお、本発明の実施形態における衛星信号処理モジュール１００が、例えば衛星受信カード、または同様の機能をもつ別の装置であってもよいことは、留意されるべきである。
【００３３】
一適用例において、衛星無線周波数信号に対する復号化処理を通じて衛星信号処理モジュール１００によって取得される衛星通信サービス信号は、クロック信号（クロック信号は、例えば、基準クロックソース信号を含んでもよいし、さらに衛星絶対時刻情報を含んでもよい）および／または位置信号を含む。本発明の実施形態においては、主に衛星通信サービス信号がクロック信号である場合について具体的に説明する。
【００３４】
衛星信号処理モジュール１００が復号化処理を通じてクロック信号を取得する場合、衛星信号処理モジュール１００は基地局屋内装置２２０のベースバンド装置にクロック信号を供給してもよく、それにより、ベースバンド装置がクロックの較正および制御などを行なうためにクロック信号を用いる。
【００３５】
本発明の実施形態において、衛星アンテナは、ガリレオ衛星、全地球測位システム（ＧＰＳ、Ｇｌｏｂａｌ  Ｐｏｓｉｔｉｏｎｉｎｇ  Ｓｙｓｔｅｍ）衛星、北斗（ＢｅｉＤｏｕ）衛星、または全地球型衛星航法システム（ＧＬＯＮＡＳＳ、Ｇｌｏｂａｌ  Ｎａｖｉｇａｔｉｏｎ  Ｓａｔｅｌｌｉｔｅ  Ｓｙｓｔｅｍ）衛星などの衛星から衛星無線周波数信号を受信してもよい。
【００３６】
以上のように、本実施形態において、衛星信号処理モジュールは、基地局屋内装置内に設置され、衛星アンテナの信号および少なくとも１つの他のアンテナの信号は、基地局屋外装置から基地局屋内装置に１つのデータ線を通じて送信され、それにより、基地局屋外装置から基地局屋内装置への給電線の配線を簡易化し、避雷モジュールの数を減少させ、製造原価を低減するのを支援する。
［実施形態２］
【００３７】
本実施形態を、主として、基地局屋内装置のマイクロ波屋内ユニット内に衛星信号処理モジュールが設置される例を用いて説明する。
【００３８】
図３−ａを参照すると、本発明の実施形態によって提供される無線基地局の１つの実施形態において、無線基地局３００は、基地局屋外装置３１０と、基地局屋内装置３２０とを含んでもよい。
【００３９】
基地局屋内装置３１０は、衛星アンテナ３１１、無線アクセスアンテナ３１２、マイクロ波送信アンテナ３１３、マイクロ波屋外ユニット３１４、アダプタ３１５（アダプタ３１５もマイクロ波屋外ユニット３１４内に設置されてもよい）などを含んでもよい。基地局屋内装置３２０は、遠隔無線装置３２１、ベースバンド装置３２２、マイクロ波屋内ユニット３２３、衛星信号処理モジュール１００などを含んでもよい。衛星信号処理モジュール１００は、マイクロ波屋内ユニット３２３内に設置されてもよい。
【００４０】
無線アクセスアンテナ３１２は、給電線を通じて遠隔無線装置３２１に接続され、遠隔無線装置３２１は、ＣＰＲＩインタフェースまたはＯＢＳＡＩインタフェースを通じてベースバンド装置３２２と接続される。遠隔無線装置３２１は、無線アクセスアンテナ３１２によって受信されたアクセス側無線周波数信号に対して無線周波数処理を実行してアクセス側ベースバンド信号を取得し、ベースバンド処理のためのベースバンド装置３２２にアクセス側ベースバンド信号を出力する。ベースバンド装置３２２は、また、遠隔無線装置３２１に送信されるアクセス側ベースバンド信号を出力してもよい。遠隔無線装置３２１は、送信されるアクセス側ベースバンド信号に対して無線周波数処理を実行してアクセス側無線周波数信号を取得し、無線アクセスアンテナ３１２を通じてアクセス側無線周波数信号を送信する。
【００４１】
衛星アンテナ３１１は、アダプタ３１５に接続される。マイクロ波送信アンテナ３１３は、マイクロ波屋外ユニット３１４を通じてアダプタ３１５に接続される。マイクロ波屋外ユニット３１４は、マイクロ波送信アンテナ３１３によって受信されたマイクロ波無線周波数信号に対して周波数変換処理を実行してマイクロ波中間周波信号を取得し、マイクロ波屋外ユニット３１４は、マイクロ波中間周波信号をアダプタ３１５に出力する。アダプタ３１５は、給電線３３０を通じて基地局屋内装置３２０内のマイクロ波屋内ユニット３２３に接続される。アダプタ３１５は、衛星無線周波数信号とマイクロ波屋外ユニット３１４からのマイクロ波中間周波信号との結合を行なって結合信号を取得し（アダプタは必要なインピーダンス整合を信号に対して行なってもよい）、結合信号は給電線３３０を通じてマイクロ波屋内ユニット３２３に送信される。
【００４２】
マイクロ波中間周波信号および衛星無線周波数信号のパラメータの一例は、以下に示す通りでもよい。
【表１】
2013535126.tif 000003
【００４３】
マイクロ波屋内ユニット３２３は、結合信号内の衛星無線周波数信号およびマイクロ波中間周波信号を分離し、分離されたマイクロ波中間周波信号に対して復調およびベースバンド処理を実行してマイクロ波サービス信号を取得し、分離された衛星無線周波数信号を衛星信号処理モジュール１００に出力する。衛星信号処理モジュール１００は、受信された衛星無線周波数信号に対して復号化処理を実行して衛星通信サービス信号（衛星通信サービス信号は、クロック信号を含んでもよく、クロック信号は、例えば基準クロックソース信号を含んでもよく、さらに衛星絶対時刻情報を含んでもよい）を取得する。マイクロ波屋内ユニット３２３は、衛星通信サービス信号およびマイクロ波サービス信号に対して、対応する信号形式変換（イーサネット（Ｅｔｈｅｒｎｅｔ）形式、独立同期デジタルハイアラーキ（ＰＤＨ、Ｐｌｅｓｉｏｃｈｒｏｎｏｕｓ  Ｄｉｇｉｔａｌ  Ｈｉｅｒａｒｃｈｙ）形式および同期デジタルハイアラーキ（ＳＤＨ、Ｓｙｎｃｈｒｏｎｏｕｓ  Ｄｉｇｉｔａｌ  Ｈｉｅｒａｒｃｈｙ）形式など）を行ない、変換された形式でサービス信号を処理用のベースバンド装置３２２に出力する。
【００４４】
衛星信号処理モジュール１００が、クロック信号を取得するために衛星無線周波数信号に対して復号化処理を実行する場合、マイクロ波屋内ユニット３２３は、マイクロ波サービス信号のクロックを較正するために、クロック信号を用いてもよい。ベースバンド装置３２２は、較正されたクロックでマイクロ波サービス信号からクロック信号を抽出してもよく（マイクロ波屋内ユニット３２３が、衛星無線周波数信号の復号化処理を通じて衛星信号処理モジュール１００によって取得されたクロック信号を用いることにより、マイクロ波サービス信号のクロック較正を行なうので、較正されたクロックでマイクロ波サービス信号からベースバンド装置３２２によって抽出されたクロック信号が、衛星無線周波数信号の復号化処理を通じて衛星信号処理モジュール１００によって取得されたクロック信号と等価であろうことが理解され得る）、クロックの較正および制御などを行うためにクロック信号を用いる。
【００４５】
図３−ｂを参照すると、一適用例において、マイクロ波屋内ユニット３２３は、マイクロ波中間周波数モジュール３２３１、マイクロ波ベースバンドモジュール３２３２、サービスインタフェースモジュール３２３３、クロックモジュール３２３４などを含んでもよい。
【００４６】
例えば、衛星無線周波数信号は、クロック信号を搬送する。信号の流れ方向、および基地局３００内の各々のモジュールの作動方式は、以下の通りでもよい。
【００４７】
衛星アンテナ３１１は、衛星無線周波数信号を受信し、給電線を通じて衛星無線周波数信号をアダプタ３１５に出力する。マイクロ波送信アンテナ３１３は、マイクロ波無線周波数信号を受信し、給電線を通じてマイクロ波無線周波数信号をマイクロ波屋外ユニット３１４に出力する。マイクロ波屋外ユニット３１４は、マイクロ波無線周波数信号に対して周波数変換処理を実行してマイクロ波中間周波信号を取得する。マイクロ波屋外ユニット３１４は、マイクロ波中間周波信号をアダプタ３１５に出力する。アダプタ３１５は、衛星無線周波数信号とマイクロ波中間周波信号とを結合し、衛星無線周波数信号とマイクロ波中間周波信号との結合信号を基地局屋内装置３２０のマイクロ波屋内ユニット３２３に出力する。マイクロ波屋内ユニット３２３のマイクロ波中間周波数モジュール３２３１は、衛星無線周波数信号とマイクロ波中間周波信号との結合信号を受信し、結合信号内の衛星無線周波数信号とマイクロ波中間周波信号とに分離し、分離された衛星無線周波数信号を衛星信号処理モジュール１００に出力する。衛星信号処理モジュール１００は、受信された衛星無線周波数信号に対して復号化処理を実行してクロック信号を取得し（クロック信号は、例えば、基準クロックソース信号を含んでもよく、さらに衛星絶対時刻情報を含んでもよい）、クロック信号をクロックモジュール３２３４に供給する。クロックモジュール３２３４は、そのクロックを較正するためにクロック信号を用い、マイクロ波屋内ユニット３２３の別のモジュールに対してクロック制御を実行する。マイクロ波中間周波数モジュール３２３１は、また、分離されたマイクロ波中間周波信号をマイクロ波ベースバンド信号に変換し、マイクロ波ベースバンド信号をマイクロ波ベースバンドモジュール３２３２に出力する。マイクロ波ベースバンドモジュール３２３２は、クロックモジュール３２３４のクロック制御のもと、マイクロ波ベースバンド信号に対してベースバンドサービス処理を実行して、対応するマイクロ波サービス信号を取得する。サービスインタフェースモジュール３２３３は、処理を通じてマイクロ波ベースバンドモジュール３２３２によって取得されたマイクロ波サービス信号に対して、対応するフォーマット変換を実行し、変換された形式でマイクロ波サービス信号をベースバンド装置３２２に出力する。クロックモジュール３２３４が、受信された衛星無線周波数信号に対する復号化処理を通じて衛星信号処理モジュール１００によって取得されるクロック信号を用いることにより、そのクロックを較正するため、マイクロ波中間周波数モジュール３２３１、マイクロ波ベースバンドモジュール３２３２およびサービスインタフェースモジュール３２３３がすべて、クロックモジュール３２３４のクロック制御の下でマイクロ波信号を処理する間に、ベースバンド装置３２２によって受信されたマイクロ波サービス信号のクロックが衛星と同期することが理解され得る。ベースバンド装置３２２は、マイクロ波屋内ユニット３２３のマイクロ波サービス信号からクロック信号を抽出し（クロック信号は、衛星無線周波数信号に対する復号化処理を通じて衛星信号処理モジュール１００によって取得されるクロック信号と等価である）、クロックの較正および制御などを実行するためにクロック信号を用いてもよい。
【００４８】
以上のように、本実施形態において、衛星信号処理モジュールは、基地局屋内装置のマイクロ波屋内ユニット内に設置され、衛星アンテナの信号およびマイクロ波送信アンテナの信号は、基地局屋外装置から基地局屋内装置に１つのデータ線を通じて送信され、それにより、基地局屋外装置から基地局屋内装置への給電線の配線を簡易化し、避雷モジュールの数を減少させ、製造原価を低減するのを支援する。
［実施形態３］
【００４９】
本実施形態を、主として、基地局屋内装置の遠隔無線装置内に衛星信号処理モジュールが設置される例を用いて説明する。
【００５０】
図４−ａを参照すると、本発明の実施形態によって提供される無線基地局の別の実施形態において、無線基地局４００は、基地局屋外装置４１０と、基地局屋内装置４２０とを含んでもよい。
【００５１】
基地局屋外装置４１０は、衛星無線周波数信号を受信するための衛星アンテナ４１１と、アクセス側無線周波数信号を受信するための無線アクセスアンテナ４１２と、アダプタ４１３とを含んでもよい。
【００５２】
基地局屋内装置４２０は、遠隔無線装置４２１と、ベースバンド装置４２２と、衛星信号処理モジュール１００とを含んでもよい。衛星信号処理モジュール１００は、遠隔無線装置４２１内に設置される。
【００５３】
衛星アンテナ４１１および無線アクセスアンテナ４１２は、アダプタ４１３に接続される。アダプタ４１３は、給電線４３０を通じて基地局屋内装置４２０の遠隔無線装置４２１に接続される。アダプタ４１３は、結合信号を取得するために、衛星無線周波数信号とアクセス側無線周波数信号との結合を実行し（アダプタは、必要なインピーダンス整合を信号に対して実行してもよい）、給電線４３０を通じて結合信号を遠隔無線装置４２１に送信する。
【００５４】
アクセス側無線周波数信号および衛星無線周波数信号のパラメータの一例は、以下に示す通りでもよい。
【表２】
2013535126.tif 000004
【００５５】
遠隔無線装置４２１は、衛星無線周波数信号とアクセス側無線周波数信号との結合信号を受信し、結合信号内の衛星無線周波数信号とアクセス側無線周波数信号とに分離し、分離されたアクセス側無線周波数信号に対して無線周波数処理を実行してアクセス側ベースバンド信号を取得し、分離された衛星無線周波数信号を衛星信号処理モジュール１００に出力する。衛星信号処理モジュール１００は、受信された衛星無線周波数信号に対して復号化処理を実行して衛星通信サービス信号（衛星通信サービス信号は、クロック信号を含んでもよく、クロック信号は、例えば基準クロックソース信号を含でもよく、さらに衛星絶対時刻情報を含んでもよい）を取得する。遠隔無線装置４２１は、アクセス側ベースバンド信号に衛星通信サービス信号を埋め込み、インタフェースフォーマット変換（例えば、ＣＰＲＩインタフェースまたはＯＢＳＡＩインタフェース形式）を実行し、変換されたインタフェース形式のアクセス側ベースバンド信号をベースバンド装置４２２に出力する。ベースバンド装置４２２は、アクセス側ベースバンド信号に埋め込まれた衛星通信サービス信号を抽出し、アクセス側ベースバンド信号に対してベースバンド処理を実行する。
【００５６】
衛星信号処理モジュール１００がクロック信号を取得するために衛星無線周波数信号に対して復号化処理を実行する場合、ベースバンド装置４２２は、アクセス側ベースバンド信号に埋め込まれたクロック信号を抽出し（衛星無線周波数信号に対する復号化処理を通じて衛星信号処理モジュール１００によって取得されるクロック信号に等価であり、クロック信号は、例えば基準クロックソース信号を含んでもよく、さらに衛星絶対時刻情報を含んでもよい）、クロックの較正および制御などを実行するためにクロック信号を用いてもよい。
【００５７】
図４−ｂを参照すると、一適用例において、遠隔無線装置４２１は、無線周波数処理装置４２１１とインタフェースユニット４２１２とを含んでもよい。
【００５８】
例えば、衛星無線周波数信号は、クロック信号を搬送する。信号の流れ方向、および基地局４００内の各々のモジュールの作動方式は、以下の通りでもよい。
【００５９】
衛星アンテナ４１１は、衛星無線周波数信号を受信し、給電線を通じて衛星無線周波数信号をアダプタ４１３に出力する。無線アクセスアンテナ４１２は、アクセス側無線周波数信号を受信し、アクセス側無線周波数信号をアダプタ４１３に出力する。アダプタ４１３は、衛星無線周波数信号とアクセス側無線周波数信号とを結合し、衛星無線周波数信号とアクセス側無線周波数信号との結合信号を基地局屋内装置４２０の遠隔無線装置４２１に出力する。遠隔無線装置４２１の無線周波数処理装置４２１１は、衛星無線周波数信号とアクセス側無線周波数信号との結合信号を受信し、結合信号内の衛星無線周波数信号とアクセス側無線周波数信号とに分離する。無線周波数処理装置４２１１は、周波数変換処理を通じて、分離されたアクセス側無線周波数信号をアクセス側ベースバンド信号に変換し、アクセス側ベースバンド信号をインタフェースユニット４２１２に出力する。無線周波数処理ユニット４２１１は、分離された衛星無線周波数信号を衛星信号処理モジュール１００に出力する。衛星信号処理モジュール１００は、受信された衛星無線周波数信号に対して復号化処理を実行してクロック信号を取得し（クロック信号は、例えば、基準クロックソース信号を含んでもよく、さらに衛星絶対時刻情報を含んでもよい）、クロック信号をインタフェースユニット４２１２に出力する。インタフェースユニット４２１２は、アクセス側ベースバンド信号にクロック信号を埋め込み、クロック信号が埋め込まれたアクセス側クロック信号をベースバンドユニット４２２に出力する。ベースバンド装置４２２は、アクセス側ベースバンド信号に埋め込まれたクロック信号を抽出し（インタフェースユニット４２１２が、受信される衛星無線周波数信号に対する復号化処理を通じて衛星信号処理モジュール１００によって取得されるクロック信号をアクセス側ベースバンド信号に埋め込むため、ベースバンド装置４２２によってインタフェースユニット４２１２のアクセス側ベースバンド信号から抽出されたクロック信号は、衛星無線周波数信号に対する復号化処理を通じて衛星信号処理モジュール１００によって取得されるクロック信号と等価である）、クロックの較正および制御などを実行するために、クロック信号（クロック信号は、例えば基準クロックソース信号を含んでもよく、さらに衛星絶対時刻情報を含んでもよい）を用い、アクセス側ベースバンド信号に対してベースバンド処理を実行する。
【００６０】
以上のように、本実施形態において、衛星信号処理モジュールは、基地局屋内装置の遠隔無線装置内に設置され、衛星アンテナおよび無線アクセスアンテナによって受信された信号は、基地局屋外装置から基地局屋内装置に１つのデータ線を通じて送信され、それにより、基地局屋外装置から基地局屋内装置への給電線の配線を簡易化し、避雷モジュールの数を減少させ、製造原価を低減するのを支援する。
［実施形態４］
【００６１】
図５−ａを参照すると、本発明の１つの実施形態によって提供される無線基地局の別の実施形態において、無線基地局５００は、基地局屋外装置５１０と基地局屋内装置５２０とを含んでもよい。
【００６２】
基地局屋外装置５１０は、地上サービスアンテナ５１２と、衛星アンテナ５１１と、衛星アンテナによって受信された衛星無線周波数信号に対して復号化処理を実行するように構成された衛星信号処理モジュール１００と、地上サービスアンテナ５１２によって受信された変調信号に対して復調処理を実行するように構成された第１の地上サービス処理モジュール５１３とを含み、ここで、地上サービスアンテナ５１２は、マイクロ波送信アンテナまたは無線アクセスアンテナであってもよい。
【００６３】
衛星通信サービス信号は、第２のデータ線５３０を通じて基地局屋内装置５２０に送信され、地上サービスアンテナ５１２によって受信され、第１の地上サービス処理モジュール５１３による復調処理を経た変調信号は、第２のデータ線５３０を通じて基地局屋内装置５２０に送信される。
【００６４】
第２のデータ線５３０は、光ファイバ、ネットワークケーブル、または別の種類の信号伝送線であってもよい。
【００６５】
一適用例において、衛星信号処理モジュール１００は、衛星アンテナによって受信された衛星無線周波数信号に対して復号化処理を実行して衛星通信サービス信号（衛星通信サービス信号は、位置信号およびクロック信号を含んでもよく、ここで、クロック信号は、例えば基準クロックソース信号を含んでもよく、さらに衛星絶対時刻情報を含んでもよい）を取得し、第１の地上サービス処理モジュール５１３に衛星通信サービス信号を出力してもよい。第１の地上サービス処理モジュール５１３は、地上サービスアンテナ５１２によって受信され、且つ復調処理を経た変調信号に衛星通信サービス信号を埋め込んで結合信号を取得し、結合信号を第２のデータ線５３０を通じて基地局屋内装置５２０に送信するようにさらに構成されてもよい。
【００６６】
図５−ｂを参照すると、一適用例において、衛星信号処理モジュール１００は、第１の地上サービス処理モジュール５１３内に設置されてもよい。
【００６７】
第１の地上サービス処理モジュール５１３は、例えば、遠隔無線装置、マイクロ波屋外ユニット、マイクロ波屋外統合装置、または別の屋外ユニットである。
【００６８】
一適用例において、地上サービスアンテナ５１２が無線アクセスアンテナである場合、第１の地上サービス処理モジュール５１３は遠隔無線装置でもよく、一方、衛星信号処理モジュール１００は遠隔無線装置内に設置されてもよい。
【００６９】
一適用例において、地上サービスアンテナ５１２がマイクロ波送信アンテナである場合、第１の地上サービス処理モジュール５１３はマイクロ波屋外統合装置であってもよく、一方、衛星信号処理モジュール１００はマイクロ波屋外統合装置内に設置されてもよい。
【００７０】
図５−ｃを参照すると、一適用例において、衛星アンテナ５１１は、アダプタ５１４を通じて第１の地上サービス処理モジュール５１３の雷防護回路（図５−ｃに図示せず）に接続されてもよい。アダプタ５１４は、衛星アンテナ５１１および地上サービスアンテナ５１２によって受信された信号に対して結合を実行し、結合信号を第１の地上サービス処理モジュール５１３に送信してもよい。雷防護回路の共有は、この方式で実装されてもよく、これは従来技術と比較すると雷防護回路の数を節約できる。
【００７１】
一適用例において、衛星無線周波数信号に対する復号化処理を通じて、衛星信号処理モジュール１００によって取得される衛星通信サービス信号は、クロック信号（クロック信号は、例えば、基準クロックソース信号を含んでもよいし、さらに衛星絶対時刻情報を含んでもよい）および／または位置信号などを含む。本発明の実施形態においては、主に、衛星通信サービス信号はクロック信号（クロック信号は、例えば、基準クロックソース信号を含んでもよく、さらに衛星絶対時刻情報を含んでもよい）である場合について具体的に説明する。
【００７２】
衛星信号処理モジュール１００が復号化処理を通じてクロック信号を取得する場合、衛星信号処理モジュール１００はさらに、基地局屋内装置５２０のベースバンド装置にクロック信号を供給してもよく（クロック信号は、例えば、基準クロックソース信号を含んでもよく、さらに衛星絶対時刻情報を含んでもよい）、その結果、ベースバンド装置は、クロックの較正および制御などを実行するためにクロック信号を用いる。
【００７３】
以上のように、本実施形態において、衛星信号処理モジュールは、基地局屋外装置内に設置され、衛星アンテナの信号および少なくとも１つの他のアンテナによって受信され、且つ、処理を経た信号は、基地局屋外装置から基地局屋内装置に１つのデータ線を通じて送信され、それにより、基地局屋外装置から基地局屋内装置への給電線の配線を簡易化し、避雷モジュールの数を減少させ、製造原価を低減するのを支援する。
［実施形態５］
【００７４】
本実施形態を、主として、基地局屋外装置の遠隔無線装置内に衛星信号処理モジュールが設置される例を用いて説明する。
【００７５】
図６−ａを参照すると、本発明の実施形態によって提供される無線基地局の別の実施形態において、無線基地局６００は、基地局屋外装置６１０と、基地局屋内装置６２０とを含んでもよい。
【００７６】
基地局屋外装置６１０は、衛星無線周波数信号を受信するための衛星アンテナ６１１と、アクセス側無線周波数信号を受信するための無線アクセスアンテナ６１２と、遠隔無線装置６１３と、衛星アンテナ６１１によって受信された衛星無線周波数信号に対して復号化処理を実行して衛星通信サービス信号を取得するように構成された衛星信号処理モジュール１００とを含んでもよい。衛星信号処理モジュール１００は、遠隔無線装置６１３内に設置されてもよく、もちろん遠隔無線装置６１３の外部に設置されてもよい。
【００７７】
基地局屋内装置６２０は、ベースバンド装置６２１などを含んでもよい。
【００７８】
衛星アンテナ６１１によって受信された衛星無線周波数信号は、衛星信号処理モジュール１００に送信される。無線アクセスアンテナ６１２によって受信されたアクセス側無線周波数信号は、遠隔無線装置６１３に送信される。
【００７９】
遠隔無線装置６１３は、アクセス側無線周波数信号に対して無線周波数処理を実行してアクセス側ベースバンド信号を取得する。衛星信号処理モジュール１００は、受信された衛星無線周波数信号に対して復号化処理を実行して衛星通信サービス信号（衛星通信サービス信号は、クロック信号を含んでもよく、クロック信号は、例えば基準クロックソース信号を含んでもよく、さらに衛星絶対時刻情報を含んでもよい）を取得する。遠隔無線装置６１３は、アクセス側ベースバンド信号に衛星通信サービス信号を埋め込み、インタフェースフォーマット変換（例えば、ＣＰＲＩインタフェース形式またはＯＢＳＡＩインタフェース形式）を実行し、変換されたインタフェース形式でアクセス側ベースバンド信号をベースバンド装置６２１に出力してもよい。ベースバンド装置６２１は、アクセス側ベースバンド信号に埋め込まれた衛星通信サービス信号を抽出し、アクセス側ベースバンド信号に対してベースバンド処理を実行する。
【００８０】
衛星信号処理モジュール１００が衛星無線周波数信号に対して復号化処理を実行してクロック信号を取得する場合、ベースバンド装置６２１は、アクセス側ベースバンド信号に埋め込まれたクロック信号を抽出し（遠隔無線装置６１３が、受信された衛星無線周波数信号に対する復号化処理を通じて衛星信号処理モジュール１００によって取得されるクロック信号をアクセス側ベースバンド信号に埋め込むので、遠隔無線装置６１３からのアクセス側ベースバンド信号からベースバンド装置６２１によって抽出されたクロック信号は、衛星無線周波数信号に対する復号化処理を通じて衛星信号処理モジュール１００によって取得されるクロック信号と等価であり、クロック信号は、例えば基準クロックソース信号を含んでもよいし、さらに衛星絶対時刻情報を含んでもよい）、クロックの較正および制御などを実行するためにクロック信号を用いてもよい。
【００８１】
図６−ｂを参照すると、別の適用例において、基地局屋外装置６１０は、さらにアダプタ６１４を含んでもよい。衛星アンテナ６１１および無線アクセスアンテナ６１２によって受信された信号は、アダプタ６１４によって結合された後に遠隔無線装置６１３に送信される。具体的処理プロセスについては、第３の実施形態における関連する説明を参照できる。
【００８２】
図６−ｃを参照すると、一適用例において、遠隔無線装置６１３は、無線周波数処理装置６１３１とインタフェースユニット６１３２とを含んでもよい。
【００８３】
例えば、衛星無線周波数信号は、クロック信号を搬送する。信号の流れ方向、および基地局６００内の各々のモジュールの作動方式は、以下の通りでもよい。
【００８４】
衛星アンテナ６１１は、衛星無線周波数信号を受信し、給電線を通じて衛星無線周波数信号を衛星信号処理モジュール１００に出力する。無線アクセスアンテナ６１２は、アクセス側無線周波数信号を受信し、アクセス側無線周波数信号を遠隔無線装置６１３に送信する。遠隔無線装置４２１の無線周波数処理装置６１３１は、アクセス側無線周波数信号を受信し、周波数変換処理を通じて、アクセス側無線周波数信号をアクセス側ベースバンド信号に変換し、アクセス側ベースバンド信号をインタフェースユニット６１３２に出力する。衛星信号処理モジュール１００は、受信された衛星無線周波数信号に対して復号化処理を実行してクロック信号（ここで、クロック信号は、例えば基準クロックソース信号を含んでもよいし、さらに衛星絶対時刻情報を含んでもよい）を取得し、クロック信号をインタフェースユニット６１３２に出力する。インタフェースユニット６１３２は、アクセス側ベースバンド信号にクロック信号を埋め込み、クロック信号が埋め込まれたアクセス側ベースバンド信号を、データ線６３０を通じてベースバンド装置６２１に出力する。ベースバンド装置６２１は、アクセス側ベースバンド信号に埋め込まれたクロック信号を抽出し（遠隔無線装置６１３のインタフェースユニット６１３２が、受信される衛星無線周波数信号に対する復号化処理を通じて衛星信号処理モジュール１００によって取得されるクロック信号をアクセス側ベースバンド信号に埋め込むため、ベースバンド装置６２１によってインタフェースユニット６１３２からのアクセス側ベースバンド信号から抽出されたクロック信号は、衛星無線周波数信号に対する復号化処理を通じて衛星信号処理モジュール１００によって取得されるクロック信号と等価である）、クロックの較正および制御などを実行するために、クロック信号（ここで、クロック信号は、例えば基準クロックソース信号を含んでもよく、さらに衛星絶対時刻情報を含んでもよい）を用い、アクセス側ベースバンド信号に対してベースバンド処理を実行する。
【００８５】
以上のように、本実施形態において、衛星信号処理モジュールは、基地局屋内装置の遠隔無線装置内に設置され、衛星アンテナの信号および少なくとも１つの他のアンテナによって受信され、且つ、処理を経た信号は、基地局屋外装置から基地局屋内装置に１つのデータ線を通じて送信され、それにより、基地局屋外装置から基地局屋内装置への給電線の配線を簡易化し、避雷モジュールの数を減少させ、製造原価を低減するのを支援する。
［実施形態６］
【００８６】
本実施形態を、主として、基地局屋外装置のマイクロ波屋外統合セッティング内に衛星信号処理モジュールが設置される例を用いて説明する。
【００８７】
図７−ａを参照すると、本発明の実施形態によって提供される無線基地局の別の実施形態において、無線基地局７００は、基地局屋外装置７１０と、基地局屋内装置７２０とを含んでもよい。
【００８８】
基地局屋外装置７１０は、衛星アンテナ７１１、無線アクセスアンテナ７１２、マイクロ波送信アンテナ７１３、マイクロ波屋外統合装置７１４、衛星信号処理モジュール１００などを含んでもよい。
【００８９】
基地局屋内装置７２０は、遠隔無線装置７２１、およびベースバンド装置７２２を含んでもよい。
【００９０】
衛星信号処理モジュール１００は、マイクロ波屋外統合装置７１４内に設置されてもよい。
【００９１】
無線アクセスアンテナ７１２は、給電線を通じて遠隔無線装置７２１に接続され、遠隔無線装置７２１は、ＣＰＲＩインタフェースまたはＯＢＳＡインタフェースを通じてベースバンド装置７２２に接続される。遠隔無線装置７２１は、無線アクセスアンテナ７１２によって受信されたアクセス側無線周波数信号に対して無線周波数処理を実行してアクセス側ベースバンド信号を取得し、ベースバンド処理のためのベースバンド装置７２２にアクセス側ベースバンド信号を出力する。ベースバンド装置７２２は、また、遠隔無線装置７２１に送信されるアクセス側ベースバンド信号を出力してもよく、遠隔無線装置７２１は、送信されるアクセス側ベースバンド信号に対して無線周波数処理を実行してアクセス側無線周波数信号を取得し、無線アクセスアンテナ７１２を通じてアクセス側無線周波数信号を送信する。
【００９２】
衛星アンテナ７１１は、衛星信号処理モジュール１００に接続される。衛星信号処理モジュール１００は、衛星アンテナ７１１によって受信された衛星無線周波数信号に対して復号化処理を実行して衛星通信サービス信号を取得する（衛星通信サービス信号は、クロック信号を含んでもよく、クロック信号は、例えば基準クロックソース信号を含んでもよく、さらに衛星絶対時刻情報を含んでもよい）。マイクロ波送信アンテナ７１３は、マイクロ波屋外統合装置７１４に接続される。マイクロ波屋外統合装置７１４は、マイクロ波送信アンテナ７１３によって受信されたマイクロ波無線周波数信号に対して復号化処理を実行してマイクロ波サービス信号を取得する。マイクロ波屋外統合装置７１４は、マイクロ波サービス信号に衛星通信サービス信号を埋め込み、信号形式変換（イーサネット形式、ＰＤＨ形式、およびＳＤＨ形式など）を実行し、データ線７３０を通じて、処理のためのベースバンド装置７２２に、変換された形式でサービス信号を出力する。
【００９３】
衛星信号処理モジュール１００が衛星無線周波数信号に対して復号化処理を実行してクロック信号を取得する場合（ここでクロック信号は、例えば基準クロックソース信号を含んでもよいし、さらに衛星絶対時刻情報を含んでもよい）、マイクロ波屋外統合装置７１４は、マイクロ波サービス信号のクロックを較正するためにクロック信号を用いてもよい。ベースバンド装置７２２は、較正されたクロックで、マイクロ波サービス信号からクロック信号を抽出し（マイクロ波屋外統合装置７１４が、衛星無線周波数信号の復号化処理を通じて衛星信号処理モジュール１００によって取得されたクロック信号を用いることにより、マイクロ波サービス信号のクロック較正を行なうため、較正されたクロックでマイクロ波サービス信号からベースバンド装置７２２によって抽出されたクロック信号が、衛星無線周波数信号の復号化処理を通じて衛星信号処理モジュール１００によって取得されたクロック信号と等価であろうことが理解され得る）、クロックの較正および制御などを実行するためにクロック信号を用いてもよい。
【００９４】
図７−ｂを参照すると、一適用例において、マイクロ波屋外統合装置７１４は、マイクロ波中間周波数モジュール７１４１と、マイクロ波ベースバンドモジュール７１４２と、サービスインタフェースモジュール７１４３と、クロックモジュール７１４４と、マイクロ波無線周波数モジュール７１４５を含んでもよい。
【００９５】
例えば、衛星無線周波数信号は、クロック信号を搬送する。信号の流れ方向、および基地局７００内の各々のモジュールの作動方式は、以下の通りでもよい。
【００９６】
衛星アンテナ７１１は、衛星無線周波数信号を受信し、給電線を通じて衛星信号処理モジュール１００に衛星無線周波数信号を出力する。衛星信号処理モジュール１００は、衛星無線周波数信号に対して復号化処理を実行してクロック信号を取得し（ここで、クロック信号は、例えば基準クロックソース信号を含んでもよく、さらに衛星絶対時刻情報を含んでもよい）、クロック信号をクロックモジュール７１４４に供給する。クロックモジュール７１４４は、クロック信号を用いてそのクロックを較正し、マイクロ波屋外統合装置７１４の別のモジュールに対してクロック制御を実行する。マイクロ波送信アンテナ７ｌ３は、マイクロ波無線周波数信号を受信し、給電線を通じてマイクロ波屋外統合装置７１４にマイクロ波無線周波数信号を出力する。マイクロ波屋外統合装置７１４のマイクロ波無線周波数モジュール７１４５は、マイクロ波無線周波数信号に対して周波数変換処理を実行してマイクロ波中間周波信号を取得し、マイクロ波無線周波数モジュール７１４５は、マイクロ波中間周波信号をマイクロ波中間周波数モジュール７１４１に出力する。マイクロ波中間周波数モジュール７１４１は、また、受信されたマイクロ波中間周波信号をマイクロ波ベースバンド信号に変換し、マイクロ波ベースバンド信号をマイクロ波ベースバンドモジュール７１４２に出力する。マイクロ波ベースバンドモジュール７１４２は、クロックモジュール７１４４のクロック制御のもと、マイクロ波ベースバンド信号に対してベースバンドサービス処理を実行して対応するマイクロ波サービス信号を取得する。サービスインタフェースモジュール７１４３は、処理を通じてマイクロ波ベースバンドモジュール７１４２によって取得されたマイクロ波サービス信号に対して、対応するフォーマット変換を実行し、変換された形式でマイクロ波サービス信号をベースバンド装置７２２に出力する。クロックモジュール７１４４が、受信された衛星無線周波数信号に対する復号化処理を通じて衛星信号処理モジュール１００によって取得されるクロック信号を用いることにより、そのクロックを較正するため、マイクロ波中間周波数モジュール７１４１、マイクロ波ベースバンドモジュール７１４２、およびサービスインタフェースモジュール７１４３がすべて、クロックモジュール７１４４のクロック制御の下でマイクロ波信号を処理する間に、ベースバンド装置７２２によって受信されたマイクロ波サービス信号のクロックが衛星と同期することが理解され得る。ベースバンド装置７２２は、マイクロ波屋外統合装置７１４からのマイクロ波サービス信号からクロック信号を抽出し（クロック信号は、衛星無線周波数信号に対する復号化処理を通じて衛星信号処理モジュール１００によって取得されるクロック信号と等価である）、クロック較正および制御などを実行するためにクロック信号を用いてもよい。
【００９７】
以上のように、本実施形態において、衛星信号処理モジュールは、基地局屋外装置のマイクロ波屋外統合装置内に設置され、衛星アンテナの信号および少なくとも１つの他のアンテナによって受信され、且つ、処理を経た信号は、基地局屋外装置から基地局屋内装置に１つのデータ線を通じて送信され、それにより、基地局屋外装置から基地局屋内装置への給電線の配線を簡易化し、避雷モジュールの数を減少させ、製造原価を低減するのを支援する。
［実施形態７］
【００９８】
本発明による無線基地局の別の実施形態が提供される。
【００９９】
図８を参照すると、無線基地局８００は、基地局屋外装置８１０と基地局屋内装置８２０とを含んでもよい。
【０１００】
基地局屋外装置８１０は、地上サービスアンテナ８１１と、衛星アンテナ８１２と、衛星アンテナによって受信された衛星無線周波数信号に対して復号化処理を実行して基準クロックソース信号を取得するように構成された衛星信号処理モジュール２００と、地上サービスアンテナによって受信された変調信号に対して復調処理を実行するように構成された第２の地上サービス処理モジュール８１３とを含んでもよい。
【０１０１】
第２の地上サービス処理モジュール８１３は、現行のシステムクロック信号と、衛星信号処理モジュール２００によって取得された基準クロックソース信号に対して位相弁別処理を実行して位相差を取得し、位相差を搬送するデータパケットを生成し、基地局屋内装置８２０にデータパケットを送信するようにさらに構成される。
【０１０２】
基地局屋内装置８２０は、
【０１０３】
第２の地上サービス処理モジュール８１３によって送信されたデータパケットを受信し、搬送された位相差をデータパケットから取得し、すべてのシステムクロック信号を較正するように、位相差に従って位相固定トラッキングを実行するように構成された第３のサービス処理モジュール８２１を含む。
【０１０４】
第３のサービス処理モジュール８２１は、さらに、少なくとも１つの種類の較正されたシステムクロック信号を、第２の地上サービス処理モジュール８１３、基地局屋外装置の別のモジュール、基地局屋内装置の別のモジュール、および／または無線基地局に接続された別の装置に送信してもよい。
【０１０５】
衛星信号処理モジュール２００は、遠隔全地球測位システム（ＲＧＰＳ、Ｒｅｍｏｔｅ  Ｇｌｏｂａｌ  Ｐｏｓｉｔｉｏｎｉｎｇ  Ｓｙｓｔｅｍ）を形成するために、衛星アンテナ８１２に統合されてもよい。または、衛星信号処理モジュール２００は、第２の地上サービス処理モジュール８１３に統合されてもよい。または、衛星信号処理モジュール２００も、独立して設置されてもよい。
【０１０６】
第３のサービス処理モジュール８２１は、例えば、ベースバンド装置ＢＢＵ、マイクロ波屋内ユニット、または別の屋内のモジュールであってもよい。
【０１０７】
第２の地上サービス処理モジュール８１３は、例えば、遠隔無線装置（ＲＲＵ、Ｒｅｍｏｔｅ  Ｒａｄｉｏ  Ｕｎｉｔ）、マイクロ波屋外ユニットまたはマイクロ波屋外統合装置、または別の屋外のモジュールであってもよい。
【０１０８】
一適用例において、第２の地上サービス処理モジュール８１３は、基準クロックソース信号の初期位相と現行のシステムフレーム同期信号（ｃｕｒｒｅｎｔ  ｓｙｓｔｅｍ  ｆｒａｍｅ  ｓｙｎｃｈｒｏｎｉｚａｔｉｏｎ  ｓｉｇｎａｌ）の初期位相とを比較して初期位相偏差値を取得し、データパケット内で初期位相偏差値を搬送するようにさらに構成されてもよい。
【０１０９】
第３のサービス処理モジュール８２１は、搬送された初期位相偏差値をデータパケットから取得し、初期位相偏差値に従ってシステムフレーム同期信号の初期位相を較正するようにさらに構成される。
【０１１０】
第３のサービス処理モジュール８２１は、さらに、較正された初期位相でシステムフレーム同期信号を、第２の地上サービス処理モジュール８１３、基地局屋外装置の別のモジュール、基地局屋内装置の別のモジュール、および／または無線基地局に接続された別の装置に送信してもよい。
【０１１１】
一適用例において、衛星信号処理モジュール２００が衛星アンテナ８１２によって受信された衛星無線周波数信号から衛星絶対時刻情報を取得するようにさらに構成される場合、第２の地上サービス処理モジュール８１３は、データパケット内で衛星絶対時刻情報を搬送するようにさらに構成されてもよい。
【０１１２】
第３のサービス処理モジュール８２１は、搬送された衛星絶対時刻情報をデータパケットから取得し、衛星絶対時刻情報に従ってシステム絶対時刻を較正するようにさらに構成されてもよい。
【０１１３】
衛星アンテナ８１２は、例えば、北米のＧＰＳ、ヨーロッパのガリレオ、中国のＢｅｉＤｏｕ、ロシアのＧＬＯＮＡＳＳなどの衛星によって送信された信号を受信してもよい。
【０１１４】
衛星信号処理モジュール２００は、第２の地上サービス処理モジュール８１３内に設置されてもよいし、または独立して設置されてもよい。図８においては、例えば衛星信号処理モジュール２００が独立して設置される場合が採用される。
【０１１５】
実用的応用において、衛星信号処理モジュール２００および衛星アンテナ８１２は、遠隔全地球測位システム（ＲＧＰＳ）に結合されてもよい。ＲＧＰＳは、例えば、別々にインストールされるために個別のポール（ｐｏｌｅ）に搭載され、給電線を通じて第２の地上サービス処理モジュール８１３に接続されてもよい。あるいは、ＲＧＰＳは、メカニカルパーツを通じて第２の地上サービス処理モジュール８１３上に直接インストールされ、給電線を通じて第２の地上サービス処理モジュール８１３に接続される。
【０１１６】
本発明の実施形態における地上サービスアンテナ８１１が、マイクロ波送信アンテナであってもよいし、または無線アクセスアンテナ（無線周波数アンテナなど）であってもよいことは、理解され得る。本発明の実施形態は、前述の実施形態と同様であり、マイクロ波通信方式に適用されてもよいし、無線周波数通信に適用されてもよい。以下、無線周波数通信を例として説明する。対応するマイクロ波通信方式は、無線周波数通信、および前述の実施形態において記載された、対応するマイクロ波通信方式に関して実行されてもよい。
【０１１７】
理解および説明を容易にするために、例えば図９−ａに示される構成の無線基地局が以下に採用される。図９に示される無線基地局は、基地局屋外装置９１０と基地局屋内装置９２０とを含んでもよい。
【０１１８】
基地局屋内装置９２０は、ベースバンド装置９２１を含んでもよい。
【０１１９】
基地局屋外装置９１０は、無線アクセスアンテナ９１１、衛星アンテナ９１２、遠隔無線装置９１３、および衛星アンテナ９１２によって受信された衛星無線周波数信号に対して復号化処理を実行して基準クロックソース信号を取得するように構成された衛星信号処理モジュール２００を含んでもよい（もちろん、衛星信号処理モジュール２００は、衛星無線周波数信号から衛星絶対時刻情報をさらに取得してもよい）。
【０１２０】
遠隔無線装置９１３は、現行のシステムクロック信号（例えば、１０ミリ秒のシステムクロック信号または別の周波数のシステムクロック信号である、システムクロック信号はベースバンド装置９２１によって供給されてもよい）と、衛星信号処理モジュール２００によって取得された基準クロックソース信号とに対して、位相弁別処理を実行して位相差を取得し（遠隔無線装置９１３は、また、衛星信号処理モジュール２００から衛星絶対時刻情報を取得してもよい）、位相差を搬送するデータパケットを生成し（ここで、データパケットは、衛星絶対時刻情報をさらに搬送してもよい）、ベースバンド装置９２１とのインタフェースを通じてベースバンド装置９２１にデータパケットを送信してもよい。
【０１２１】
従って、ベースバンド装置９２１は、遠隔無線装置９１３とのインタフェースから位相差を搬送するデータパケットを受信し、データパケットを解析して搬送された位相差を取得し、すべてのシステムクロック信号を同期し較正するように、位相差に従って位相固定トラッキングを実行してもよい。さらに、ベースバンド装置９２１は、遠隔無線装置９１３とのインタフェースを通じて遠隔無線装置９１３に、少なくとも１種類の較正されたシステムクロック信号（例えば、１０ミリ秒のシステムクロック信号または別の周波数のシステムクロック信号）を送信してもよい。
【０１２２】
さらに、遠隔無線装置９１３は、基準クロックソース信号の初期位相と現行システムフレーム同期信号（システムフレーム同期信号は、ベースバンド装置９２１によって供給されてもよい）の初期位相とを比較して初期位相偏差値を取得し、位相差を搬送するデータパケット内で初期位相偏差値を搬送させるように、さらに構成されてもよい。
【０１２３】
ベースバンド装置９２１は、搬送された初期位相偏差値をデータパケットから取得し、初期位相偏差値に従ってシステムフレーム同期信号の初期位相を較正してもよい。ベースバンド装置９２１は、さらに、遠隔無線装置９１３、基地局屋外装置９１０の別のモジュール、基地局屋内装置９２０の別のモジュール、および／または無線基地局に接続された別の装置に、較正された初期位相でシステムフレーム同期信号を送信してもよい。
【０１２４】
図９−ｂを参照すると、無線基地局が複数の遠隔無線装置を含む場合、ベースバンド装置９２１は、ベースバンド装置９２１と他の遠隔無線装置との間のインタフェースを通じて他の遠隔無線装置に、少なくとも１つの種類の較正されたシステムクロック信号（例えば、１０ミリ秒のシステムクロック信号または別の周波数のシステムクロック信号）を送信するようにさらに構成されてもよい。
【０１２５】
図９−ｃを参照すると、図９−ｃは、本発明の１つの実施形態による別の無線基地局の概略構成図である。
【０１２６】
遠隔無線装置９１３は、主として、
【０１２７】
フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）９１３１、および中央処理装置（ＣＰＵ、Ｃｅｎｔｒａｌ  Ｐｒｏｃｅｓｓｉｎｇ  Ｕｎｉｔ）９１３２を含む。
【０１２８】
フィールドプログラマブルゲートアレイ９１３１は、現行システムクロック信号と、衛星信号処理モジュール２００によって取得された基準クロックソース信号とに対して、位相弁別処理を実行して位相差を取得するように構成されてもよい（フィールドプログラマブルゲートアレイ９１３１は、また、衛星信号処理モジュール２００から衛星絶対時刻情報を取得してもよい。フィールドプログラマブルゲートアレイ９１３１は、また、基準クロックソース信号の初期位相と現行のシステムフレーム同期信号の初期位相とを比較して初期位相偏差値を取得してもよい）。
【０１２９】
中央処理装置９１３２は、フィールドプログラマブルゲートアレイ９１３１によって取得された位相差を搬送するデータパケットを生成するように構成されてもよく、ここで、フィールドプログラマブルゲートアレイ９１３１が、基準クロックソース信号の初期位相と現行システムフレームの同期信号の初期位相とを比較して初期位相偏差値を取得する場合は、データパケットがさらに初期位相偏差値を搬送してもよい。フィールドプログラマブルゲートアレイ９１３１がさらに衛星絶対時刻情報を取得する場合、データパケットがさらに衛星絶対時刻情報を搬送してもよく、一方、ベースバンド装置９２１は、システム絶対時刻を較正するために衛星絶対時刻情報を用いていてもよい。
【０１３０】
中央処理装置９１３２およびフィールドプログラマブルゲートアレイ９１３１は、ハイレベルデータリンク伝送制御手順（ＨＤＬＣ、Ｈｉｇｈ−Ｌｅｖｅｌ  Ｄａｔａ  Ｌｉｎｋ  Ｃｏｎｔｒｏｌ）プロトコルまたは別のプロトコルを通じて、データパケットを送信してもよい。
【０１３１】
フィールドプログラマブルゲートアレイ９１３１は、中央処理装置９１３２によって生成されて位相差を搬送するデータパケットに対して、フレーミング（ＣＰＲＩフレーミングまたは別の形式のフレーミングなど）を実行し、ベースバンド装置９２１とのインタフェースを通じてベースバンド装置９２１に、組み合わせたデータフレームを送信するようにさらに構成されてもよい。
【０１３２】
図９−ｄを参照すると、図９−ｄは、本発明の１つの実施形態による分散型基地局の概略構成図である。
【０１３３】
図９−ｄにおける遠隔無線装置９１３は、主として、
【０１３４】
コンプレックスプログラマブルロジックデバイス（ＣＰＬＤ、Ｃｏｍｐｌｅｘ  Ｐｒｏｇｒａｍｍａｂｌｅ  Ｌｏｇｉｃ  Ｄｅｖｉｃｅ）９１３３、および中央処理装置（ＣＰＵ、Ｃｅｎｔｒａｌ  Ｐｒｏｃｅｓｓｉｎｇ  Ｕｎｉｔ）９１３２を含む。
【０１３５】
コンプレックスプログラマブルロジックデバイス９１３３は、現行のシステムクロック信号と、衛星信号処理モジュール２００によって取得された基準クロックソース信号とに対して、位相弁別処理を実行して位相差を取得するように構成されてもよい（コンプレックスプログラマブルロジックデバイス９１３３は、また、衛星信号処理モジュール２００から衛星絶対時刻情報を取得してもよく、コンプレックスプログラマブルロジックデバイス９１３３は、また、基準クロックソース信号の初期位相と現行のシステムフレーム同期信号の初期位相とを比較して初期位相偏差値を取得してもよい）。
【０１３６】
中央処理装置９１３２は、コンプレックスプログラマブルロジックデバイス９１３３によって取得された位相差を搬送するデータパケットを生成するように構成されてもよく、ここで、コンプレックスプログラマブルロジックデバイス９１３３が基準クロックソース信号の初期位相と現行のシステムフレーム同期信号の初期位相とを比較して初期位相偏差値を取得する場合には、データパケットは、さらに、初期位相偏差値を搬送してもよい。コンプレックスプログラマブルロジックデバイス９１３３がさらに衛星絶対時刻情報を取得する場合には、データパケットは、さらに、衛星絶対時刻情報を搬送してもよく、一方、ベースバンド装置９２１は、システム絶対時刻を較正するために衛星絶対時刻情報を用いていてもよい。
【０１３７】
中央処理装置９１３２およびコンプレックスプログラマブルロジックデバイス９１３３は、ハイレベルデータリンク伝送制御手順（ＨＤＬＣ）プロトコルまたは別のプロトコルを通じて、データパケットを送信してもよい。
【０１３８】
コンプレックスプログラマブルロジックデバイス９１３３は、中央処理装置９１３２によって生成されて位相差を搬送するデータパケットに対して、フレーミング（ＣＰＲＩフレーミングまたは別の形式のフレーミングなど）を実行し、ベースバンド装置９２１とのインタフェースを通じてベースバンド装置９２１に、組み合わせたデータフレームを送信するようにさらに構成されてもよい。
【０１３９】
他のハードウェアモジュールも、フィールドプログラマブルゲートアレイ９１３１またはコンプレックスプログラマブルロジックデバイス９１３３の機能の一部またはすべてを実行するように、遠隔無線装置９１３内に配置されてもよいことが理解され得る。
【０１４０】
ベースバンド装置９２１は、例えば、ベースバンドインタフェースボード９２１１と、メイン処理／伝送装置９２１２とを含んでもよい。
【０１４１】
ベースバンドインタフェースボード９２１１は、遠隔無線装置９１３とのインタフェースから、位相差を搬送するデータパケットのデータフレームを受信し、データフレームに対してデフレーミング処理を実行して位相差を搬送するデータパケットを取得し、メイン処理／伝送装置９２１２にデータパケットを送信するように構成されてもよく、ここで、例えば遠隔無線装置９１３が位相差を搬送するデータパケットに対してフレーミング処理を実行するというケースがとられる。遠隔無線装置９１３が位相差を搬送するデータパケットに対してフレーミング処理を実行しない場合、ベースバンドインタフェースボード９２１１は、位相差を搬送するデータパケットを直接受信してもよく、デフレーミング処理を通じて、位相差を搬送するデータパケットを取得する必要はない。
【０１４２】
メイン処理／伝送装置９２１２は、ベースバンドインタフェースボード９２１１からの位相差を搬送するデータパケットを受信し、データパケットを解析して位相差を取得し、位相差に従って位相固定トラッキングを実行し、すべてのシステムクロック信号を較正するように構成されてもよい。
【０１４３】
ベースバンドインタフェースボード９２１１は、遠隔無線装置９１３とのインタフェースを通じて遠隔無線装置９１３に、メイン処理／伝送装置９２１２によって較正された少なくとも１つの種類のシステムクロック信号を送信するようにさらに構成されてもよい。
【０１４４】
さらに、ベースバンドインタフェースボード９２１１からのデータパケットが、さらに初期位相偏差値を搬送する場合、メイン処理／伝送装置９２１２は、初期位相偏差値に従ってシステムフレーム同期信号の初期位相を較正してもよい。ベースバンドインタフェースボード９２１１は、さらに、遠隔無線装置９１３、基地局屋外装置９１０の別のモジュール、基地局屋内装置９２０の別のモジュール、および／または無線基地局に接続された別の装置に、較正された初期位相でシステムフレーム同期信号を送信してもよい。
【０１４５】
さらに、ベースバンドインタフェースボード９２１１からのデータパケットが、さらに衛星絶対時刻情報を搬送する場合、メイン処理／伝送装置９２１２は、衛星絶対時刻情報に従ってシステム衛星絶対時刻を較正し、システムフレーム番号を生成してもよい。
【０１４６】
実用的応用において、ベースバンド装置９２１は、さらに、通信システムのクロックを同期させるように、基地局コントローラまたは基幹回線網のネットワーク構成要素に、少なくとも１つの種類の較正されたシステムクロック信号を送信してもよい。
【０１４７】
図９−ｅを参照すると、図９−ｅは、本発明の１つの実施形態による別の無線基地局の概略構成図である。
【０１４８】
図９−ｅに示される構成の無線基地局において、遠隔無線装置９１３内のＦＰＧＡ（またはＣＰＬＤ）は、位相差を搬送するデータパケットに対してフレーミングを実行し（または、データパケットは、さらに初期位相偏差値および／または衛星絶対時刻情報を搬送してもよい）、その後、光インターフェース（ＳＥＲＤＥＳ）を通じて、ベースバンド装置９２１内のベースバンドインタフェースボード９２１１に、組み合わせたデータフレームを送信する。ベースバンドインタフェースボード９２１１内のＦＰＧＡ（またはＣＰＬＤ）は、遠隔無線装置９１３からのデータフレームに対してデフレーミング処理を実行して位相差を搬送するデータパケットを取得し、メイン処理／伝送装置９２１２にデータパケットを送信する。メイン処理／伝送装置９２１２内のＣＰＵは、ベースバンドインタフェースボード９２１１からの位相差を搬送するデータパケットを解析して位相差を取得する。メイン処理／伝送装置９２１２は、位相差に従ってＯＣＸＯのクロックを較正する。ＯＣＸＯは、さらに、較正された第１レベルシステムクロック信号をＰＬＬに出力する。それに従って、ＰＬＬは、位相固定トラッキングを実行し、第２のレベルシステムクロック信号などを生成する。具体的には、メイン処理／伝送装置９２１２内のＦＰＧＡは、ＰＬＬによって生成された正確なシステムクロック信号に従って、１０ミリ秒または別の周波数のシステムクロック信号を生成し、ベースバンドインタフェースボード９２１１を通じて遠隔無線装置９１３に送信してもよく、また、別の遠隔無線装置にそれを送信してもよく、また、遠隔無線装置、基地局コントローラ、または基幹回線網のネットワーク構成要素にシステムクロック信号を送信してもよい。
【０１４９】
本実施形態は、さらに、無線基地局のクロック同期のための方法を提供し、ここで、無線基地局が基地局屋内装置および基地局屋外装置を含み、その方法は、次のものを含む。
【０１５０】
基地局屋外装置（例えば、遠隔無線装置、マイクロ波屋外ユニット、マイクロ波屋外統合装置、または基地局屋外装置内の別のモジュール）は、現行のシステムクロック信号と、衛星アンテナによって受信された衛星無線周波数信号から取得される基準クロックソース信号とに対して、位相弁別処理を実行して位相差を取得し、位相差を搬送するデータパケット（データパケットは、衛星アンテナによって受信された衛星無線周波数信号から得られた衛星絶対時刻情報をさらに搬送してもよい）を生成し、基地局屋内装置にデータパケットを送信する。基地局屋内装置は、データパケットを受信し、搬送される位相差をデータパケットから取得し、すべてのシステムクロック信号を較正するように、位相差に従って位相固定トラッキングを実行する。さらに、基地局屋外装置（例えば、ベースバンド装置、マイクロ波屋内ユニット、または基地局屋内装置内の別のモジュール）は、データパケット内の搬送された衛星絶対時刻情報に基づいて、システム絶対時刻を較正してもよい。
【０１５１】
さらに、基地局屋内装置は、基地局屋内装置または他の装置に、少なくとも１つの種類の較正されたシステムクロック信号を送信してもよい。
【０１５２】
さらに、基地局屋外装置（例えば、遠隔無線装置、マイクロ波屋外ユニット、マイクロ波屋外統合装置、または基地局屋外装置内の別のモジュール）は、また、基準クロックソース信号の初期位相と現行システムのフレーム同期信号の初期位相とを比較して、初期位相偏差値を取得し、位相差を搬送するデータパケット内で初期位相偏差値を搬送させてもよい。基地局屋内装置（例えば、ベースバンド装置、マイクロ波屋内ユニット、またはベースバンド屋内装置における別のモジュール）は、搬送された初期位相偏差値をデータパケットから取得し、初期位相偏差値に従ってシステムフレーム同期信号の初期位相を較正し、基地局屋外装置または他の装置に、較正された初期位相でシステムフレーム同期信号を送信してもよい。
【０１５３】
以上のように、本実施形態の無線基地局において、衛星アンテナは、基地局屋外装置内のモジュールに接続され、基地局屋外装置は、位相差を取得するために位相弁別処理を実行し、その後、位相差を搬送するデータパケットを生成し、基地局屋内装置にデータパケットを送信する。基地局屋内装置は、搬送された位相差をデータパケットから取得し、すべてのシステムクロック信号を同期し較正するように、位相差に従って位相固定トラッキングを実行してもよい。衛星アンテナが基地局屋外装置に接続されるため、エンジニアリングコストおよび補助材料のコストの低減にとって有用である。基地局屋外装置が位相弁別のオペレーションを実行して位相差を取得し、その後、基地局屋内装置が、位相固定トラッキングを実行し、すべてのシステムクロック信号を同期し較正するため、この分散型クロック同期処理メカニズムは、基地局屋内装置のモジュール設計の簡易化、および分散型基地局のマルチシナリオの適用性の改善にとって有用である。
【０１５４】
特定の状況において、ＲＧＰＳがＲＲＵに接続される場合、ＲＲＵは、ＢＢＵによって提供される同期クロック信号と、ＲＧＰＳによって供給される基準クロックソース信号とに対して位相弁別処理を実行して位相差を取得し、その後、位相差を搬送するデータパケットを生成し、データパケットをＢＢＵに送信する。ＢＢＵは、搬送された位相差をデータパケットから取得し、システムクロック信号を同期し較正するように、位相差に従って位相固定トラッキングを実行する。ＲＧＰＳがＲＲＵに接続されるため、エンジニアリングコストおよび補助材料のコストの低減にとって有用である。ＲＲＵが位相弁別のオペレーションを実行して位相差を取得し、その後、ＢＢＵが位相固定トラッキングを実行して、システムクロック信号を同期し較正するため、この分散型クロック同期処理メカニズムは、ＢＢＵのモジュール設計の簡易化、および分散型基地局のマルチシナリオの適用性の改善にとって有用である。
［実施形態８］
【０１５５】
本発明による無線基地局の別の実施形態が提供される。
【０１５６】
図１０を参照すると、無線基地局１０００は、基地局屋外装置１０１０と基地局屋内装置１０２０とを含んでもよい。
【０１５７】
基地局屋外装置１０１０は、地上サービスアンテナ１０１１と、衛星アンテナ１０１２と、衛星アンテナによって受信された衛星無線周波数信号に対して復号化処理を実行して基準クロックソース信号を取得するように構成された衛星信号処理モジュール２００と、地上サービスアンテナによって受信された変調信号に対して復調処理を実行するように構成された第４の地上サービス処理モジュール１０１３とを含んでもよい。
【０１５８】
第４の地上サービス処理モジュール１０１３は、現行のシステムクロック信号と、衛星信号処理モジュール２００によって取得された基準クロックソース信号とに対して位相弁別処理を実行して位相差を取得し、すべてのシステムクロック信号を較正するように、位相差に従って位相固定トラッキングを実行し、基地局屋内装置１０２０内の第５のサービス処理モジュール１０２１に、少なくとも１つの種類の較正されたシステムクロック信号を送信するように、さらに構成される。
【０１５９】
第５のサービス処理モジュール１０２１は、第４の地上サービス処理モジュール１０１３によって送信されたシステムクロック信号を、別の遠隔無線装置または別の装置に送るように構成されてもよい。
【０１６０】
衛星信号処理モジュール２００は、衛星アンテナに統合される。または、衛星信号処理モジュール２００は、第４の地上サービス処理モジュールに統合されてもよい。または、衛星信号処理モジュール２００は、別々に設置されてもよい。
【０１６１】
一適用例において、第４の地上サービス処理モジュール１０１２は、基準クロックソース信号の初期位相と、現行のシステムフレーム同期信号の初期位相とを比較して初期位相偏差値を取得し、初期位相偏差値に従ってシステムフレーム同期信号の初期位相を較正し、較正された初期位相でシステムフレーム同期信号を第５のサービス処理モジュール１０２１に送信するようにさらに構成される。
【０１６２】
第５のサービス処理モジュール１０２１は、較正された初期位相を有し且つ第４の地上サービス処理モジュール１０１３遠隔無線装置によって送信されたシステムフレーム同期信号を、他の遠隔無線装置または他の装置に送信するように構成されてもよい。
【０１６３】
一適用例において、衛星信号処理モジュール２００は、衛星アンテナ１０１２によって受信された衛星無線周波数信号から衛星絶対時刻情報を取得するようにさらに構成されてもよいし、第４の地上サービス処理モジュール１０１３は、衛星絶対時刻情報に従ってシステム絶対時刻を較正するようにさらに構成される。
【０１６４】
第５のサービス処理モジュール１０２１は、具体的には、ベースバンド装置、マイクロ波屋内ユニット、または別の屋内のモジュールであってもよく、第４の地上サービス処理モジュール１０１２は、具体的には、遠隔無線装置、マイクロ波屋外ユニット、またはマイクロ波屋外統合装置、または別の屋外のモジュールであってもよい。
【０１６５】
本実施形態は、さらに、無線基地局のクロック同期のための別の方法を提供し、ここで、無線基地局が基地局屋内装置および基地局屋外装置を含み、その方法は、次のものを含む。
【０１６６】
基地局屋外装置（例えば、遠隔無線装置、マイクロ波屋外ユニット、マイクロ波屋外統合装置、または基地局屋外装置内の別のモジュール）は、現行のシステムクロック信号と、衛星アンテナによって受信された衛星無線周波数信号から取得される基準クロックソース信号とに対して、位相弁別処理を実行して位相差を取得し、すべてのシステムクロック信号を較正するように、位相差に従って位相固定トラッキングを実行し、少なくとも１つの種類の較正されたシステムクロック信号を基地局屋内装置に送信する。
【０１６７】
さらに、基地局屋内装置（ベースバンド装置、マイクロ波屋内モジュール、または基地局屋内装置内の別のモジュールなど）は、基地局屋外装置によって送信されたシステムクロック信号を、別の遠隔無線装置または別の装置に送信してもよい。
【０１６８】
一適用例において、基地局屋外装置は、また、基準クロックソース信号の初期位相と、現行のシステムフレーム同期信号の初期位相とを比較して初期位相偏差値を取得し、初期位相偏差値に従ってシステムフレーム同期信号の初期位相を較正し、較正された初期位相でシステムフレーム同期信号を基地局屋内装置に送信してもよい。
【０１６９】
基地局屋内装置（ベースバンド装置、マイクロ波の屋内のモジュールまたは基地局屋内装置内の別のモジュールなどの）は、較正された初期位相を有し且つ基地局屋外装置によって送信されるシステムフレーム同期信号を、別の遠隔無線装置または別の装置に送信してもよい。
【０１７０】
一適用例において、基地局屋外装置は、衛星アンテナによって受信された衛星無線周波数信号から衛星絶対時刻情報を取得し、衛星絶対時刻情報に従ってシステム絶対時刻を較正してもよい。
【０１７１】
以上のように、本実施形態の無線基地局において、衛星アンテナは、基地局屋外装置内のモジュールに接続され、基地局屋外装置は、位相弁別処理を実行して位相差を取得し、すべてのシステムクロック信号を同期し較正するように、位相差に従って位相固定トラッキングを実行する。衛星アンテナが基地局屋外装置に接続されるため、エンジニアリングコストおよび補助材料のコストの低減にとって有用である。
【０１７２】
説明を容易にするために、前述の方法の実施形態の各々が一連の動作として記載されていることに留意すべきである。動作のうちのいくつかを、他のシーケンスにおいて実行してもよいし、または同時に実行してもよいため、当業者は、本発明が、記載された動作のシーケンスによって限定されないことを認識するべきである。その上、当業者は、この明細書に記載された実施形態は典型的な実施形態であり、関係する動作およびモジュールが、本発明にとって必ずしも必須でないことを認識するべきである。
【０１７３】
前述の実施形態において、各々の実施形態の説明にはその重要点がある。１つの実施形態において詳述されない部分については、別の実施形態の関連する説明を参照してもよい。
【０１７４】
結論として、本発明の実施形態の解決手段のうちの１つにおいて、衛星信号処理モジュールは、基地局屋内装置内に設置され、衛星アンテナの信号および少なくとも１つの他のアンテナの信号は、基地局屋外装置から基地局屋内装置に１つのデータ線を通じて送信され、それにより、基地局屋外装置から基地局屋内装置への給電線の配線を簡易化し、避雷モジュールの数を減少させ、製造原価を低減するのを支援する。
【０１７５】
本発明の実施形態の別の解決手段において、衛星信号処理モジュールは、基地局屋外装置内に設置され、衛星アンテナの信号および少なくとも１つの他のアンテナの信号は、基地局屋外装置から基地局屋内装置に１つのデータ線を通じて送信され、それにより、基地局屋外装置から基地局屋内装置への給電線の配線を簡易化し、避雷モジュールの数を減少させ、製造原価を低減するのを支援する。
【０１７６】
本発明の実施形態によって提供されるさらに別の解決手段において、衛星アンテナは、基地局屋外装置内のモジュールに接続され、基地局屋外装置は、位相弁別処理を実行して位相差を取得し、その後、位相差を搬送するデータパケットを生成し、基地局屋内装置にデータパケットを送信する。基地局屋内装置は、データパケットを受信して搬送された弁別位相差をデータパケットから取得し、すべてのシステムクロック信号を同期し較正するように、位相差に従って位相固定トラッキングを実行する。衛星アンテナが基地局屋外装置に接続されるため、エンジニアリングコストおよび補助材料のコストの低減にとって有用である。基地局屋外装置が、位相弁別処理を実行して位相差を取得し、その後、基地局屋内装置が、位相固定トラッキングを実行し、すべてのシステムクロック信号を同期し較正するため、この分散型クロック同期処理メカニズムは、基地局屋内装置のモジュール設計の簡易化、および分散型基地局のマルチシナリオの適用性の改善にとって有用である。
【０１７７】
本発明の実施形態によって提供されるさらに別の解決手段において、無線基地局において、衛星アンテナは、基地局屋外装置内のモジュールに接続される。基地局屋外装置は、位相弁別処理を実行して位相差を取得し、すべてのシステムクロック信号を同期し較正するように、位相差に従って位相固定トラッキングを実行する。衛星アンテナが基地局屋外装置に接続されるため、エンジニアリングコストおよび補助材料のコストの低減にとって有用である。
【０１７８】
本発明の実施形態は、衛星アンテナと、地上サービスアンテナと、衛星信号処理モジュールと、屋内装置内の地上サービス処理モジュールと、屋外装置内の地上サービス処理モジュールとを含む無線基地局を記載する。ここで、衛星アンテナおよび衛星信号処理モジュールがＲＧＰＳに統合されてもよい。衛星信号処理モジュールも、また、屋外装置内の地上サービス処理モジュールに集積されてもよい。このようなアーキテクチャにおいて、本発明の実施形態は、前述のアーキテクチャにおいて、衛星から取得されるクロック信号および／または位置信号などの衛星通信サービス信号を処理して送信する方法をさらに提供する。本発明の実施形態のすべての説明が、前述のアーキテクチャおよび信号処理および伝送方式に基づくことは理解され得るし、適切な状態において、当業者は、各々の実施形態における対応する部分を組み合わせてもよい。さらに、本発明の実施形態における実施形態の通し番号は、より明瞭な説明のみに用いられ、解決手段の長所または短所を表現しない。
【０１７９】
当業者は、実施形態による方法のすべてまたは一部のステップが、関連するハードウェアに指図するプログラムによって実行されてもよいことを、理解し得る。プログラムは、記憶媒体は、読み出し専用メモリ、ランダムアクセスメモリ、磁気ディスク、またはＣＤ−ＲＯＭなどを含んでもよい、コンピューター読み取り可能な記憶媒体に格納されてもよい。
【０１８０】
詳細な導入例を、本発明の実施形態によって提供される分散型基地局、および分散型基地局のクロック同期のための方法に対して示す。本発明の原理および具体化は、具体例を用いて記載されるが、前述の実施形態の実例は、本発明の方法および核となる概念を理解するのを支援するためのみに用いられる。さらに、本発明の具体化および適用性に対する、変更および変形が、本発明の理念に従って当業者によって行われてもよい。従って、この明細書は、本発明に対する限定として解釈されないものとする。
【図１】
2013535126.tif 000005
【図２】
2013535126.tif 000006
【図３−ａ】
2013535126.tif 000007
【図３−ｂ】
2013535126.tif 000008
【図４−ａ】
2013535126.tif 000009
【図４−ｂ】
2013535126.tif 000010
【図５−ａ】
2013535126.tif 000011
【図５−ｂ】
2013535126.tif 000012
【図５−ｃ】
2013535126.tif 000013
【図６−ａ】
2013535126.tif 000014
【図６−ｂ】
2013535126.tif 000015
【図６−ｃ】
2013535126.tif 000016
【図７−ａ】
2013535126.tif 000017
【図７−ｂ】
2013535126.tif 000018
【図８】
2013535126.tif 000019
【図９−ａ】
2013535126.tif 000020
【図９−ｂ】
2013535126.tif 000021
【図９−ｃ】
2013535126.tif 000022
【図９−ｄ】
2013535126.tif 000023
【図９−ｅ】
2013535126.tif 000024
【図１０】
2013535126.tif 000025
【手続補正書】
【提出日】平成25年1月11日(2013.1.11)
【手続補正１】
【補正対象書類名】明細書
【補正対象項目名】００８６
【補正方法】変更
【補正の内容】
【００８６】
本実施形態を、主として、基地局屋外装置のマイクロ波屋外統合装置内に衛星信号処理モジュールが設置される例を用いて説明する。
【手続補正２】
【補正対象書類名】明細書
【補正対象項目名】０１４０
【補正方法】変更
【補正の内容】
【０１４０】
ベースバンド装置９２１は、例えば、ベースバンドインタフェースボード９２１１と、メイン処理／伝送装置（ＭＰＴ）９２１２とを含んでもよい。
【手続補正３】
【補正対象書類名】明細書
【補正対象項目名】０１４８
【補正方法】変更
【補正の内容】
【０１４８】
図９−ｅに示される構成の無線基地局において、遠隔無線装置９１３内のＦＰＧＡ（またはＣＰＬＤ）は、位相差を搬送するデータパケットに対してフレーミングを実行し（または、データパケットは、さらに初期位相偏差値および／または衛星絶対時刻情報を搬送してもよい）、その後、光インターフェース（ＳＥＲＤＥＳ、serialization/de-serialization）を通じて、ベースバンド装置９２１内のベースバンドインタフェースボード９２１１に、組み合わせたデータフレームを送信する。ベースバンドインタフェースボード９２１１内のＦＰＧＡ（またはＣＰＬＤ）は、遠隔無線装置９１３からのデータフレームに対してデフレーミング処理を実行して位相差を搬送するデータパケットを取得し、メイン処理／伝送装置９２１２にデータパケットを送信する。メイン処理／伝送装置９２１２内のＣＰＵは、ベースバンドインタフェースボード９２１１からの位相差を搬送するデータパケットを解析して位相差を取得する。メイン処理／伝送装置９２１２は、位相差に従ってＯＣＸＯ(oven controlled crystal oscillator)のクロックを較正する。ＯＣＸＯは、さらに、較正された第１レベルシステムクロック信号をＰＬＬ(phase-locked loop)に出力する。それに従って、ＰＬＬは、位相固定トラッキングを実行し、第２のレベルシステムクロック信号などを生成する。具体的には、メイン処理／伝送装置９２１２内のＦＰＧＡは、ＰＬＬによって生成された正確なシステムクロック信号に従って、１０ミリ秒または別の周波数のシステムクロック信号を生成し、ベースバンドインタフェースボード９２１１を通じて遠隔無線装置９１３に送信してもよく、また、別の遠隔無線装置にそれを送信してもよく、また、遠隔無線装置、基地局コントローラ、または基幹回線網のネットワーク構成要素にシステムクロック信号を送信してもよい。
【手続補正４】
【補正対象書類名】明細書
【補正対象項目名】０１５１
【補正方法】変更
【補正の内容】
【０１５１】
さらに、基地局屋外装置は、基地局屋内装置または他の装置に、少なくとも１つの種類の較正されたシステムクロック信号を送信してもよい。
【手続補正５】
【補正対象書類名】特許請求の範囲
【補正対象項目名】全文
【補正方法】変更
【補正の内容】
【特許請求の範囲】
【請求項１】
基地局屋内装置と基地局屋外装置とを含み、
前記基地局屋外装置は、地上サービスアンテナと、衛星アンテナと、前記衛星アンテナによって受信された衛星無線周波数信号に対して復号化処理を実行して基準クロックソース信号を取得するように構成された衛星信号処理モジュールと、前記地上サービスアンテナによって受信された変調信号に対して復調処理を実行するように構成された第２の地上サービス処理モジュールとを含み、
前記第２の地上サービス処理モジュールは、現行のシステムクロック信号と、前記衛星信号処理モジュールによって取得された前記基準クロックソース信号とに対して位相弁別処理を実行して位相差を取得し、前記位相差を搬送するデータパケットを生成し、前記基地局屋内装置に前記データパケットを送信するようにさらに構成され、
前記基地局屋内装置は、前記データパケットを受信し、前記データパケットから前記搬送された位相差を取得し、較正されたシステムクロック信号を取得するように、前記位相差に従って位相固定トラッキングを実行するように構成された第３のサービス処理モジュールを含む
基地局。
【請求項２】
前記第２の地上サービス処理モジュールは、前記基準クロックソース信号の初期位相と現行のシステムフレーム同期信号の初期位相とを比較して初期位相偏差値を取得し、前記初期位相偏差値を前記データパケットで搬送させるようにさらに構成され、
前記第３のサービス処理モジュールは、搬送された初期位相偏差値を前記データパケットから取得し、前記初期位相偏差値に従ってシステムフレーム同期信号の前記初期位相を較正するようにさらに構成される
請求項１に記載の基地局。
【請求項３】
前記衛星信号処理モジュールは、前記衛星アンテナによって受信された前記衛星無線周波数信号から衛星絶対時刻情報を取得するようにさらに構成され、
前記第２の地上サービス処理モジュールは、前記衛星絶対時刻情報を前記データパケットで搬送させるようにさらに構成され、
前記第３のサービス処理モジュールは、前記データパケットを解析し、前記搬送された衛星絶対時刻情報を取得し、前記衛星絶対時刻情報に従ってシステム絶対時刻を較正するようにさらに構成される
請求項１または２に記載の基地局。
【請求項４】
前記衛星信号処理モジュールは、前記衛星アンテナと一体となって遠隔全地球測位システム（ＲＧＰＳ）を形成する、または、
前記衛星信号処理モジュールは、前記第２の地上サービス処理モジュールと一体とされる
請求項１〜３のいずれか１項に記載の基地局。
【請求項５】
前記第３のサービス処理モジュールは、具体的には、ベースバンド装置であり、
前記第２の地上サービス処理モジュールは、具体的には、遠隔無線装置、マイクロ波屋外ユニット、またはマイクロ波屋外統合装置である
請求項１〜４のいずれか１項に記載の基地局。
【請求項６】
基地局のクロック同期のための方法であって、前記基地局は基地局屋内装置と基地局屋外装置とを含み、前記方法は、
前記基地局屋外装置が、現行のシステムクロック信号と前記基地局屋外装置内に含まれる衛星アンテナによって受信された衛星無線周波数信号から取得される基準クロックソース信号とに対して位相弁別処理を実行して位相差を取得し、前記位相差を搬送するデータパケットを生成し、前記データパケットを前記基地局屋内装置に送信することと、
前記基地局屋内装置が、データパケットを受信し、前記搬送された位相差を前記データパケットから取得し、較正されたシステムクロック信号を取得するように、前記位相差に従って位相固定トラッキングを実行することと
を含む方法。
【請求項７】
前記基地局屋外装置が、前記基準クロックソース信号の初期位相と現行のシステムフレーム同期信号の初期位相とを比較して初期位相偏差値を取得し、前記初期位相偏差値を前記データパケットで搬送させて、前記データパケットを前記基地局屋内装置に送信することと、
前記基地局屋内装置が、搬送された初期位相偏差値を前記データパケットから取得し、前記初期位相偏差値に従ってシステムフレーム同期信号の初期位相を較正することと
をさらに含む請求項６に記載の方法。
【請求項８】
前記基地局屋外装置が、前記衛星アンテナにより受信された前記衛星無線周波数信号から衛星絶対時刻情報を取得し、前記衛星絶対時刻情報を前記データパケットで搬送させて、前記基地局屋内装置に前記データパケットを送信することと、
前記基地局屋内装置が、前記データパケットを解析して前記搬送された衛星絶対時刻情報を取得し、前記衛星絶対時刻情報に従ってシステム絶対時刻を較正することと
をさらに含む請求項６または７に記載の方法。
【請求項９】
前記基地局屋内装置は、ベースバンド装置を含み、
前記基地局屋外装置は、地上サービスアンテナと、前記衛星アンテナと、前記衛星アンテナにより受信された前記衛星無線周波数信号に対して復号化処理を実行し、かつ前記基準クロックソース信号を取得するように構成された衛星信号処理モジュールと、遠隔無線装置、マイクロ波屋外ユニット、および前記地上サービスアンテナにより受信された変調信号に対して復調処理を実行するように構成されたマイクロ波屋外統合装置のうちの１つとを含む
請求項６〜８のいずれか１項に記載の方法。
【請求項１０】
基地局屋内装置と基地局屋外装置とを含み、
前記基地局屋外装置は、地上サービスアンテナと、衛星アンテナと、前記衛星アンテナによって受信された衛星無線周波数信号に対して復号化処理を実行して基準クロックソース信号を取得するように構成された衛星信号処理モジュールと、前記地上サービスアンテナによって受信された変調信号に対して復調処理を実行するように構成された第４の地上サービス処理モジュールとを含み、
前記第４の地上サービス処理モジュールは、現行のシステムクロック信号と、前記衛星信号処理モジュールにより取得された基準クロックソース信号とに対して位相弁別処理を実行して位相差を取得し、較正されたシステムクロック信号を取得するように、前記位相差に従って位相固定トラッキングを実行し、前記較正されたシステムクロック信号を前記基地局屋内装置内の第５のサービス処理モジュールに送信するようにさらに構成される
基地局。
【請求項１１】
前記第４の地上サービス処理モジュールは、前記基準クロックソース信号の初期位相と、現行のシステムフレーム同期信号の初期位相とを比較して初期位相偏差値を取得し、前記初期位相偏差値に従って前記システムフレーム同期信号の前記初期位相を較正し、前記較正された初期位相で前記システムフレーム同期信号を前記第５のサービス処理モジュールに送信ようにさらに構成される
請求項１０に記載の基地局。
【請求項１２】
前記衛星信号処理モジュールは、前記衛星アンテナによって受信された前記衛星無線周波数信号から衛星絶対時刻情報を取得するようにさらに構成され、
前記第４の地上サービス処理モジュールは、前記衛星絶対時刻情報に従ってシステム絶対時刻を較正するようにさらに構成される
請求項１０または１１に記載の基地局。
【請求項１３】
前記衛星信号処理モジュールは、前記衛星アンテナと一体となって遠隔全地球測位システム（ＲＧＰＳ）を形成する、または、
前記衛星信号処理モジュールは、前記第４の地上サービス処理モジュールと一体とされる
請求項１０〜１２のいずれか１項に記載の基地局。
【請求項１４】
前記第５のサービス処理モジュールは、具体的には、ベースバンド装置であり、
前記第４の地上サービス処理モジュールは、具体的には、遠隔無線装置、マイクロ波屋外ユニット、またはマイクロ波屋外統合装置である
請求項１０〜１３のいずれか１項に記載の基地局。
【請求項１５】
基地局のクロック同期のための方法であって、前記基地局は基地局屋内装置と基地局屋外装置とを含み、前記方法は、
前記基地局屋外装置が、現行のシステムクロック信号と前記基地局屋外装置内に含まれる衛星アンテナによって受信された衛星無線周波数信号から取得される基準クロックソース信号とに対して位相弁別処理を実行して位相差を取得し、較正されたシステムクロック信号を取得するように、前記位相差に従って位相固定トラッキングを実行し、較正されたシステムクロック信号を前記基地局屋内装置に送信すること
を含む方法。
【請求項１６】
前記基地局屋外装置が、前記基準クロックソース信号の初期位相と、現行のシステムフレーム同期信号の初期位相とを比較して初期位相偏差値を取得し、前記初期位相偏差値に従って前記システムフレーム同期信号の前記初期位相を較正し、前記較正された初期位相で前記システムフレーム同期信号を前記基地局屋外装置に送信すること
をさらに含む請求項１５に記載の方法。
【請求項１７】
前記基地局屋外装置が、前記衛星アンテナによって受信された前記衛星無線周波数信号から衛星絶対時刻情報を取得し、前記衛星絶対時刻情報に従ってシステム絶対時刻を較正すること
をさらに含む請求項１５または１６に記載の方法。
【請求項１８】
前記基地局屋外装置は、地上サービスアンテナと、前記衛星アンテナと、前記衛星アンテナにより受信された前記衛星無線周波数信号に対して復号化処理を実行して前記基準クロックソース信号を取得するように構成された衛星信号処理モジュールと、前記地上サービスアンテナにより受信された変調信号に対して復調処理を実行するように構成された、遠隔無線装置、マイクロ波屋外ユニット、およびマイクロ波屋外統合装置のうちの１つとを含み、
前記基地局屋内装置は、ベースバンド装置を含む
請求項１５〜１７のいずれか１項に記載の方法。
【国際調査報告】
2013535126.tif 000026
2013535126.tif 000027
2013535126.tif 000028
2013535126.tif 000029
2013535126.tif 000030
2013535126.tif 000031